(57)【要約】【課題】ユーザに、見た目にもわかりやすく、より使いやすいリモートコントローラを提供することができる。【解決手段】リモートコントローラ１２において、回転部２４が本体部２３に対して回転され、回転部２４の側面２４１−２が本体部２３の正面２４２と平行であり、かつ同じ方向を向いた状態になる。このとき、リモートコントローラ１２から、多画面テレビジョン受像機１１に対して回転コマンドが送信される。多画面テレビジョン受像機１１においては、受信された回転コマンドに応じて、テレビジョン受像機４３ａ−１乃至４３ｃ−１が回転され、１８０度後ろを向いた状態となる。本発明は、複数のテレビジョン受像機が垂直方向を軸として回転可能に取り付けられて構成される多画面テレビジョン受像機とそれを制御するリモートコントローラからなるシステムに適用できる。【選択図】図１９
2007150430.tif 000002
【特許請求の範囲】
【請求項１】
複数の表示装置が垂直方向を軸として回転可能に取り付けられて構成される多画面表示装置と、前記多画面表示装置を制御するリモートコントローラとからなる多画面表示装置リモートコントロールシステムにおいて、
前記リモートコントローラは、
ユーザの操作を受け付ける操作手段がその前面に設けられる本体部に対して回転可能に接続される回転部と、
前記回転部が前記本体部に対して回転したことを検出する検出手段と、
前記検出手段により前記回転部が前記本体部に対して回転したことが検出された場合、前記多画面表示装置への回転コマンドを生成する回転コマンド生成手段と、
前記回転コマンド生成手段により生成された回転コマンドを送信する送信手段とを備え、
前記多画面表示装置は、
前記リモートコントローラより送信されてくるコマンドを受信する受信手段と、
前記受信手段により受信されたコマンドが前記回転コマンドであるか否かを判定するコマンド判定手段と、
前記コマンド判定手段により前記回転コマンドであると判定された前記コマンドに応じて、前記表示装置の垂直方向を回転軸として、前記複数の表示装置の少なくとも１つを回転させる回転手段とを備える
多画面表示装置リモートコントロールシステム。
【請求項２】
複数の表示装置が垂直方向を軸として回転可能に取り付けられて構成される多画面表示装置を制御するリモートコントローラにおいて、
ユーザの操作を受け付ける操作手段がその前面に設けられる本体部に対して回転可能に接続される回転部と、
前記回転部が前記本体部に対して回転したことを検出する検出手段と、
前記検出手段により前記回転部が前記本体部に対して回転したことが検出された場合、前記多画面表示装置における少なくとも１の表示装置を回転させるための回転コマンドを生成する回転コマンド生成手段と、
前記回転コマンド生成手段により生成された回転コマンドを送信する送信手段と
を備えるリモートコントローラ。
【請求項３】
前記回転コマンド生成手段は、前記回転部の前記本体部に対する回転状態に応じて、回転コマンドを生成する
請求項２に記載のリモートコントローラ。
【請求項４】
前記回転部は、多角柱で構成され、前記回転部の底面の重心を中心に、前記本体部に対して回転可能に接続されており、
前記回転部の各側面には、ユーザの操作に応じて、前記多画面表示装置における前記複数の表示装置の中からいずれかを選択するための選択手段が、側面毎に設定されている表示装置の分だけ、前記多画面表示装置における前記複数の表示装置の位置に対応させて設けられている
請求項２に記載のリモートコントローラ。
【請求項５】
前記検出手段は、前記回転部が回転し、前記回転部の１つの側面が前記本体部の前面と同じ方向を向く状態になったときに、前記回転部が前記本体部に対して回転したことを検出し、
前記回転コマンド生成手段は、前記本体部の前面と同じ方向を向く状態になった前記側面に設けられている前記選択手段に応じて、前記回転コマンドを生成する
請求項４に記載のリモートコントローラ。
【請求項６】
前記回転コマンド生成手段は、前記複数の表示装置のうち、前記本体部の前面と同じ方向を向く状態になった前記側面に設けられている前記選択手段が対応する前記所定の表示装置を正面向きに、かつ、前記所定の表示装置以外の表示装置を後方向きに、回転させるための回転コマンドを生成する
請求項５に記載のリモートコントローラ。
【請求項７】
前記回転部は、LCD（Liquid Crystal Display）と、前記LCDに積層されるタッチパネルで構成され、
前記LCDに、ユーザの前記タッチパネルの操作に応じて、前記多画面表示装置における前記複数の表示装置の中からいずれかを選択するための小画像が、前記多画面表示装置における前記複数の表示装置の位置に対応させて配置される画面を表示させる表示制御手段をさらに備える
請求項２に記載のリモートコントローラ。
【請求項８】
前記検出手段は、前記回転部が１回転し、前記回転部の前面が前記本体部の前面と同じ方向を向いた状態になったときに、前記回転部が前記本体部に対して回転したことを検出し、
前記検出手段により前記回転部が前記本体部に対して回転したことが検出された場合、前記表示制御手段は、前記LCDに、前記小画像のうち、所定の表示装置に対応する小画像だけが配置される前記画面を表示させ、
前記回転コマンド生成手段は、前記画面に配置される小画像に応じて、前記回転コマンドを生成する
請求項７に記載のリモートコントローラ。
【請求項９】
前記回転コマンド生成手段は、前記複数の表示装置のうち、前記画面に配置される小画像が対応する前記所定の表示装置を正面向きに、かつ、前記所定の表示装置以外の表示装置を後方向きに、回転させるための回転コマンドを生成する
請求項８に記載のリモートコントローラ。
【請求項１０】
複数の表示装置が垂直方向を軸として回転可能に取り付けられて構成される多画面表示装置を制御するリモートコントローラの動作方法において、
ユーザの操作を受け付ける操作手段がその前面に設けられる本体部に対して回転可能に接続される回転部が、前記本体部に対して回転したことを検出し、
前記回転部が前記本体部に対して回転したことが検出された場合、前記多画面表示装置における少なくとも１の表示装置を回転させるための回転コマンドを生成し、
前記回転コマンド生成手段により生成された回転コマンドを送信する
ステップを含むリモートコントローラの動作方法。
【請求項１１】
複数の表示装置が垂直方向を軸として回転可能に取り付けられて構成される多画面表示装置を制御するリモートコントローラを制御するコンピュータに、
ユーザの操作を受け付ける操作手段がその前面に設けられる本体部に対して回転可能に接続される回転部が、前記本体部に対して回転したことを検出し、
前記回転部が前記本体部に対して回転したことが検出された場合、前記多画面表示装置における少なくとも１の表示装置を回転させるための回転コマンドを生成し、
前記回転コマンド生成手段により生成された回転コマンドを送信する
ステップを含む処理を実行させるプログラム。
【発明の詳細な説明】
【技術分野】
【０００１】
本発明は、多画面表示装置リモートコントロールシステム、リモートコントローラおよびその動作方法、並びにプログラムに関し、特に、複数の表示装置が垂直方向を軸として回転可能に取り付けられて構成される多画面表示装置を、リモートコントローラで容易に操作できるようにした多画面表示装置リモートコントロールシステム、リモートコントローラおよびその動作方法、並びにプログラムに関する。
【背景技術】
【０００２】
例えば、異なるチャンネルを同時に視聴したり、異なる所定間隔のタイミングで撮像した画像を時系列に並べて同時に（比較して）見る場合などに用いられる、複数台のディスプレイ（テレビジョン受像機）を横または縦に配列させたマルチテレビシステムがある。
【０００３】
本出願人は、マルチテレビシステムの一つとして、横×縦のディスプレイの台数が変更可能な（スケーラブルな）スケーラブルテレビシステムを先に提案している（例えば、特許文献１参照）。
【０００４】
図１は、ディスプレイを有するテレビジョン受像機の横×縦の台数が、例えば、３×３の９台で構成されるマルチテレビシステム１を示している。
【０００５】
従来のマルチテレビシステム１は、９台のテレビジョン受像機２ａ乃至２ｉの各ディスプレイが同一面を向くようにして筐体４に固定される。すなわち、マルチテレビシステム１を何台のディスプレイ（テレビジョン受像機）で構成するかは、マルチテレビシステム１の設計段階で任意に決定することができるが、製造した後は、その台数を変更することはできない。
【０００６】
したがって、マルチテレビシステム１は、９台のテレビジョン受像機２ａ乃至２ｉの各ディスプレイが同一面を向いているため、例えば、図１に示すように、リビングに居るユーザ３ａがテレビジョン受像機２ａ乃至２ｉの各ディスプレイを視聴できるようにマルチテレビシステム１が設置された場合、マルチテレビシステム１を挟んでリビングと対向する側のダイニングに居るユーザ３ｂは、マルチテレビシステム１のテレビジョン受像機２ａ乃至２ｉのどのディスプレイも視聴することができない。
【０００７】
また、このようなマルチテレビシステム１を遠隔操作するためのリモートコントローラ５は、１個で９台のテレビジョン受像機２ａ乃至２ｉを制御することが可能となるように構成されている。
【０００８】
これらの９台のテレビジョン受像機２ａ乃至２ｉを操作するリモートコントローラ５の場合、リモートコントローラがテレビジョン受像機２ａ乃至２ｉ毎に設けられる場合と比較して、ユーザによるリモートコントローラ自体の管理が容易になる反面、リモートコントローラ５で操作される対象となる機能が増えてしまい、その操作性が複雑になってしまう傾向がある。
【０００９】
なお、リモートコントローラについては、機能が増えた場合でも、操作性を悪化させることなく、小型化するために、操作部を回動可能に構成されたものも提案されている（特許文献２参照）。
【００１０】
【特許文献１】特開２００３−１９５８４３号公報
【特許文献２】実開昭６２−４７８３２号公報
【発明の開示】
【発明が解決しようとする課題】
【００１１】
以上のように、従来のマルチテレビシステムは、複数台のテレビジョン受像機のディスプレイで構成されていたとしても、一旦構成を決定した後は、その構成を変化させることができず、複数台のディスプレイを用いた視聴方法が限定され、柔軟性に欠けるものとなっていた。
【００１２】
したがって、従来のマルチテレビシステムに対応して構成されるリモートコントローラも、１個で複数台のテレビジョン受像機を制御することはできても、マルチテレビシステムのテレビジョン受像機の台数の変化に対応するものはなかった。
【００１３】
本発明は、このような状況に鑑みてなされたものであり、複数の表示装置が垂直方向を軸として回転可能に取り付けられて構成される多画面表示装置を、リモートコントローラで容易に操作できることができるようにするものである。
【課題を解決するための手段】
【００１４】
本発明の第１の側面の多画面表示装置リモートコントロールシステムは、複数の表示装置が垂直方向を軸として回転可能に取り付けられて構成される多画面表示装置と、前記多画面表示装置を制御するリモートコントローラとからなる多画面表示装置リモートコントロールシステムにおいて、前記リモートコントローラは、ユーザの操作を受け付ける操作手段がその前面に設けられる本体部に対して回転可能に接続される回転部と、前記回転部が前記本体部に対して回転したことを検出する検出手段と、前記検出手段により前記回転部が前記本体部に対して回転したことが検出された場合、前記多画面表示装置への回転コマンドを生成する回転コマンド生成手段と、前記回転コマンド生成手段により生成された回転コマンドを送信する送信手段とを備え、前記多画面表示装置は、前記リモートコントローラより送信されてくるコマンドを受信する受信手段と、前記受信手段により受信されたコマンドが前記回転コマンドであるか否かを判定するコマンド判定手段と、前記コマンド判定手段により前記回転コマンドであると判定された前記コマンドに応じて、前記表示装置の垂直方向を回転軸として、前記複数の表示装置の少なくとも１つを回転させる回転手段とを備える。
【００１５】
本発明の第２の側面のリモートコントローラは、複数の表示装置が垂直方向を軸として回転可能に取り付けられて構成される多画面表示装置を制御するリモートコントローラにおいて、ユーザの操作を受け付ける操作手段がその前面に設けられる本体部に対して回転可能に接続される回転部と、前記回転部が前記本体部に対して回転したことを検出する検出手段と、前記検出手段により前記回転部が前記本体部に対して回転したことが検出された場合、前記多画面表示装置における少なくとも１の表示装置を回転させるための回転コマンドを生成する回転コマンド生成手段と、前記回転コマンド生成手段により生成された回転コマンドを送信する送信手段とを備える。
【００１６】
前記回転コマンド生成手段は、前記回転部の前記本体部に対する回転状態に応じて、回転コマンドを生成することができる。
【００１７】
前記回転部は、多角柱で構成され、前記回転部の底面の重心を中心に、前記本体部に対して回転可能に接続されており、前記回転部の各側面には、ユーザの操作に応じて、前記多画面表示装置における前記複数の表示装置の中からいずれかを選択するための選択手段が、側面毎に設定されている表示装置の分だけ、前記多画面表示装置における前記複数の表示装置の位置に対応させて設けられていることができる。
【００１８】
前記検出手段は、前記回転部が回転し、前記回転部の１つの側面が前記本体部の前面と同じ方向を向く状態になったときに、前記回転部が前記本体部に対して回転したことを検出し、前記回転コマンド生成手段は、前記本体部の前面と同じ方向を向く状態になった前記側面に設けられている前記選択手段に応じて、前記回転コマンドを生成することができる。
【００１９】
前記回転コマンド生成手段は、前記複数の表示装置のうち、前記本体部の前面と同じ方向を向く状態になった前記側面に設けられている前記選択手段が対応する前記所定の表示装置を正面向きに、かつ、前記所定の表示装置以外の表示装置を後方向きに、回転させるための回転コマンドを生成することができる。
【００２０】
前記回転部は、LCD（Liquid Crystal Display）と、前記LCDに積層されるタッチパネルで構成され、前記LCDに、ユーザの前記タッチパネルの操作に応じて、前記多画面表示装置における前記複数の表示装置の中からいずれかを選択するための小画像が、前記多画面表示装置における前記複数の表示装置の位置に対応させて配置される画面を表示させる表示制御手段をさらに備えることができる。
【００２１】
前記検出手段は、前記回転部が１回転し、前記回転部の前面が前記本体部の前面と同じ方向を向いた状態になったときに、前記回転部が前記本体部に対して回転したことを検出し、前記検出手段により前記回転部が前記本体部に対して回転したことが検出された場合、前記表示制御手段は、前記LCDに、前記小画像のうち、所定の表示装置に対応する小画像だけが配置される前記画面を表示させ、前記回転コマンド生成手段は、前記画面に配置される小画像に応じて、前記回転コマンドを生成することができる。
【００２２】
前記回転コマンド生成手段は、前記複数の表示装置のうち、前記画面に配置される小画像が対応する前記所定の表示装置を正面向きに、かつ、前記所定の表示装置以外の表示装置を後方向きに、回転させるための回転コマンドを生成することができる。
【００２３】
本発明の第２の側面のリモートコントローラの動作方法は、複数の表示装置が垂直方向を軸として回転可能に取り付けられて構成される多画面表示装置を制御するリモートコントローラの動作方法において、ユーザの操作を受け付ける操作手段がその前面に設けられる本体部に対して回転可能に接続される回転部が、前記本体部に対して回転したことを検出し、前記回転部が前記本体部に対して回転したことが検出された場合、前記多画面表示装置における少なくとも１の表示装置を回転させるための回転コマンドを生成し、前記回転コマンド生成手段により生成された回転コマンドを送信するステップを含む。
【００２４】
本発明の第２の側面のプログラムは、複数の表示装置が垂直方向を軸として回転可能に取り付けられて構成される多画面表示装置を制御するリモートコントローラを制御するコンピュータに、ユーザの操作を受け付ける操作手段がその前面に設けられる本体部に対して回転可能に接続される回転部が、前記本体部に対して回転したことを検出し、前記回転部が前記本体部に対して回転したことが検出された場合、前記多画面表示装置における少なくとも１の表示装置を回転させるための回転コマンドを生成し、前記回転コマンド生成手段により生成された回転コマンドを送信するステップを含む。
【００２５】
本発明の第１の側面においては、複数の表示装置が垂直方向を軸として回転可能に取り付けられて構成される多画面表示装置を制御するリモートコントローラにより、ユーザの操作を受け付ける操作手段がその前面に設けられる本体部に対して回転可能に接続される回転部が、前記本体部に対して回転したことが検出され、前記回転部が前記本体部に対して回転したことが検出された場合、前記多画面表示装置への回転コマンドが生成され、生成された回転コマンドが送信される。そして、前記多画面表示装置により、前記リモートコントローラより送信されてくるコマンドが受信され、受信されたコマンドが前記回転コマンドであるか否かが判定され、前記回転コマンドであると判定された前記コマンドに応じて、前記表示装置の垂直方向を回転軸として、前記複数の表示装置の少なくとも１つが回転される。
【００２６】
本発明の第２の側面においては、ユーザの操作を受け付ける操作手段がその前面に設けられる本体部に対して回転可能に接続される回転部が、前記本体部に対して回転したことが検出される。そして、前記回転部が前記本体部に対して回転したことが検出された場合、複数の表示装置が垂直方向を軸として回転可能に取り付けられて構成される多画面表示装置における少なくとも１の表示装置を回転させるための回転コマンドが生成され、生成された回転コマンドが送信される。
【発明の効果】
【００２７】
本発明によれば、ユーザに、見た目にもわかりやすく、より使いやすいリモートコントローラを提供することができる。
【発明を実施するための最良の形態】
【００２８】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２９】
本発明の第１の側面の多画面表示装置リモートコントロールシステムは、複数の表示装置（例えば、図２のテレビジョン受像機４３ａ−１乃至４３ｃ−１）が垂直方向を軸として回転可能に取り付けられて構成される多画面表示装置（例えば、図２の多画面テレビジョン受像機１１）と、前記多画面表示装置を制御するリモートコントローラ（例えば、図２のリモートコントローラ１２）とからなる多画面表示装置リモートコントロールシステムにおいて、前記リモートコントローラは、ユーザの操作を受け付ける操作手段（例えば、図１８の電源ボタン２６１）がその前面（例えば、図１８の前面２４２）に設けられる本体部（例えば、図１８の本体部２３）に対して回転可能に接続される回転部（例えば、図１８の回転部２４）と、前記回転部が前記本体部に対して回転したことを検出する検出手段（例えば、図２２の回転検出部３１１）と、前記検出手段により前記回転部が前記本体部に対して回転したことが検出された場合、前記多画面表示装置への回転コマンドを生成する回転コマンド生成手段（例えば、図２２の回転コマンド生成部３２１）と、前記回転コマンド生成手段により生成された回転コマンドを送信する送信手段（例えば、図２２の発光部３１７）とを備え、前記多画面表示装置は、前記リモートコントローラより送信されてくるコマンドを受信する受信手段（例えば、図２の受光部２２−１）と、前記受信手段により受信されたコマンドが前記回転コマンドであるか否かを判定するコマンド判定手段（例えば、図１６の制御部２０１）と、前記コマンド判定手段により前記回転コマンドであると判定された前記コマンドに応じて、前記表示装置の垂直方向を回転軸として、前記複数の表示装置の少なくとも１つを回転させる回転手段（例えば、図１６の装着部モータ２０３−１）とを備える。
【００３０】
本発明の第２の側面のリモートコントローラは、複数の表示装置（例えば、図２のテレビジョン受像機４３ａ−１乃至４３ｃ−１）が垂直方向を軸として回転可能に取り付けられて構成される多画面表示装置（例えば、図２の多画面テレビジョン受像機１１）を制御するリモートコントローラ（例えば、図２のリモートコントローラ１２）において、ユーザの操作を受け付ける操作手段（例えば、図１８の電源ボタン２６１）がその前面（例えば、図１８の前面２４２）に設けられる本体部に対して回転可能に接続される回転部（例えば、図１８の回転部２４）と、前記回転部が前記本体部に対して回転したことを検出する検出手段（例えば、図２２の回転検出部３１１）と、前記検出手段により前記回転部が前記本体部に対して回転したことが検出された場合、前記多画面表示装置における少なくとも１の表示装置を回転させるための回転コマンドを生成する回転コマンド生成手段（例えば、図２２の回転コマンド生成部３２１）と、前記回転コマンド生成手段により生成された回転コマンドを送信する送信手段（例えば、図２２の発光部３１７）とを備える。
【００３１】
前記回転部（例えば、図１８の回転部２４）は、多角柱で構成され、前記回転部の底面の重心を中心に、前記本体部に対して回転可能に接続されており、前記回転部の各側面（例えば、図１８の側面２４１−１乃至２４１−３）には、ユーザの操作に応じて、前記多画面表示装置における前記複数の表示装置の中からいずれかを選択するための選択手段（例えば、選択ボタン２５１ａ−１）が、側面毎に設定されている表示装置の分だけ、前記多画面表示装置における前記複数の表示装置の位置に対応させて設けられていることができる。
【００３２】
前記回転部は、LCD（Liquid Crystal Display）（例えば、図３３のLCD４１１）と、前記LCDに積層されるタッチパネル（例えば、図３５のタッチパネル４１２）で構成され、前記LCDに、ユーザの前記タッチパネルの操作に応じて、前記多画面表示装置における前記複数の表示装置の中からいずれかを選択するための小画像（例えば、図３３の選択ボタンアイコン４２１ａ−１）が、前記多画面表示装置における前記複数の表示装置の位置に対応させて配置される画面を表示させる表示制御手段（例えば、図３５の表示制御部４５１）をさらに備えることができる。
【００３３】
本発明の第２の側面のリモートコントローラの動作方法またはプログラムは、複数の表示装置（例えば、図２のテレビジョン受像機４３ａ−１乃至４３ｃ−１）が垂直方向を軸として回転可能に取り付けられて構成される多画面表示装置（例えば、図２の多画面テレビジョン受像機１１）を制御するリモートコントローラ（例えば、図２のリモートコントローラ１２）の動作方法またはプログラムにおいて、ユーザの操作を受け付ける操作手段がその前面に設けられる本体部に対して回転可能に接続される回転部が、前記本体部に対して回転したことを検出し（例えば、図２３のステップＳ１１）、前記回転部が前記本体部に対して回転したことが検出された場合、前記多画面表示装置における少なくとも１の表示装置を回転させるための回転コマンドを生成し（例えば、図２３のステップＳ１３）、前記回転コマンド生成手段により生成された回転コマンドを送信する（例えば、図２３のステップＳ１８）ステップを含む。
【００３４】
以下、図を参照して、本発明の実施の形態について説明する。
【００３５】
図２は、本発明を適用した多画面テレビジョン受像機１１とリモートコントローラ１２からなる多画面テレビジョン受像機リモートコントロールシステムの一実施の形態の構成を示す図である。
【００３６】
多画面テレビジョン受像機１１とは、複数のテレビジョン受像機４３ａ−１乃至４３ｃ−１，４３ａ−２乃至４３ｃ−２，および４３ａ−３乃至４３ｃ−３から構成されるテレビジョン受像機であり、リモートコントローラ１２からのコマンドに基づいて、複数のテレビジョン受像機４３ａ−１乃至４３ｃ−１，４３ａ−２乃至４３ｃ−２，および４３ａ−３乃至４３ｃ−３によりそれぞれ異なる番組を表示することができたり、複数のテレビジョン受像機４３ａ−１乃至４３ｃ−１，４３ａ−２乃至４３ｃ−２，および４３ａ−３乃至４３ｃ−３を１つの拡大画面として、番組を表示することができる。また、例えば、複数のテレビジョン受像機４３ａ−１乃至４３ｃ−１，４３ａ−２乃至４３ｃ−２，および４３ａ−３乃至４３ｃ−３により、同一の番組を所定のタイミングで遅延しながらストロボ表示することができる。
【００３７】
各テレビジョン受像機４３ａ−１乃至４３ｃ−１，４３ａ−２乃至４３ｃ−２，および４３ａ−３乃至４３ｃ−３は、個別にチューナを備えており、一般に使用される単独のテレビジョン受像機として機能することもできる。
【００３８】
なお、以下、テレビジョン受像機４３ａ−１乃至４３ａ−３，４３ｂ−１乃至４３ｂ−３，および４３ｃ−１乃至４３ｃ−３をそれぞれ区別する必要がない場合、テレビジョン受像機４３ａ，４３ｂ，４３ｃとそれぞれ称する。また、テレビジョン受像機４３ａ乃至４３ｃについてもそれぞれ区別する必要がない場合、単にテレビジョン受像機４３と適宜称する。
【００３９】
多画面テレビジョン受像機１１は、リモートコントローラ１２より発せられるコマンドが光信号に変換された光を受光する受光部２２−１、および、リモートコントローラ１２に対して、各テレビジョン受像機４３により生成される、自らの状態に対応したコマンドを所定の光信号として発光する発光部２２−２を備えている。なお、図２の例においては、受光部２２−１および発光部２２−２は、例えば、中央に位置するマルチテレビユニット２１−２の下部前面に設けられている。
【００４０】
また、この多画面テレビジョン受像機１１は、垂直（縦）方向にそれぞれ、３台のテレビジョン受像機４３ａ−１乃至４３ｃ−１が装着されるマルチテレビユニット（表示装置固定機）２１−１、３台のテレビジョン受像機４３ａ−２乃至４３ｃ−２が装着されるマルチテレビユニット２１−２、および３台のテレビジョン受像機４３ａ−３乃至４３ｃ−３が装着されるマルチテレビユニット２１−３が横に３台並んで構成されている。マルチテレビユニット２１−１乃至２１−３も、それぞれ区別する必要がない場合、マルチテレビユニット２１と称する。
【００４１】
マルチテレビユニット２１には、テレビジョン受像機４３ａ乃至４３ｃが装着されているディスプレイ装着部４１ａ（図３）を回転させるためのモータが内蔵されている。マルチテレビユニット２１は、リモートコントローラ１２より発せられる所定のコマンドに対応して、モータが動作することで、マルチテレビユニット２１を上側から見たときの中心（重心）の軸Ｐ（図５）を中心にディスプレイ装着部４１を回転させ、多画面テレビジョン受像機１１の前面から背面に（あるいは、背面から前面に）、テレビジョン受像機４３ａ乃至４３ｃの各ディスプレイの向きを変更することができるように構成されている。
【００４２】
リモートコントローラ１２は、薄型の直方体からなり、前面に選局や音量ボタンなどを有する本体部２３と、正三角柱からなり、３つの長方形の側面に、それぞれ、各テレビジョン受像機４３に対応する選択ボタンを有する回転部２４により構成されている。
【００４３】
回転部２４は、本体部２３に対して回転可能に本体部２３に接続されており、リモートコントローラ１２は、回転部２４が回転され、３つの側面のいずれかが本体部２３の前面と平行であり、かつ、同じ方向を向く状態となったときに、回転部２４の回転が検出されるとともに、その回転が、一旦規制（停止）されるように構成されている。
【００４４】
また、リモートコントローラ１２には、後述するように多画面テレビジョン受像機１１に対してコマンドを光信号にして発するための発光部と、リモートコントローラ１２に多画面テレビジョン受像機１１より送信されてくるコマンドを受光する受光部が備えられている。
【００４５】
リモートコントローラ１２は、ユーザによる、本体部２３の前面に設けられるボタンや、回転部２４の長方形の側面のうち、本体部２３の前面と平行、かつ同じ方向を向いている側面に設けられる選択ボタンの押下や、回転部２４の回転を検出し、その押下に対応した各テレビジョン受像機４３の処理を指示するコマンドや、その検出に対応したテレビジョン受像機４３の回転を指示するコマンドを、光信号にして発光部から発光する。
【００４６】
図３は、図２のマルチテレビユニットの構成例を示す斜視図である。
【００４７】
図３は、マルチテレビユニット２１に、３個のテレビジョン受像機４３ａ乃至４３ｃが取り付けられている状態を示しており、図３において３個のテレビジョン受像機４３ａ乃至４３ｃが向いている面（後述するカバー５４が取り付けられている面と反対側の面）をマルチテレビユニット２１の正面（表側）とする。
【００４８】
マルチテレビユニット２１は、３個のテレビジョン受像機４３ａ乃至４３ｃを垂直（縦）方向に一列に取り付けることが可能な、垂直方向に長い直方体のディスプレイユニット３１と、ディスプレイユニット３１を床面に安定して設置するために、床面と対向する面の面積を広く設けた板状のベースユニット３２とから構成されている。
【００４９】
垂直方向に長い直方体のディスプレイユニット３１の底面（下面）とベースユニット３２の上面とが接して固着されるとともに、板状のベースユニット３２の底面（下面）の四隅それぞれに、キャスタ３３ａ乃至３３ｄ（キャスタ３３ｄは図４に図示されている）が固着されている。
【００５０】
そして、ディスプレイユニット３１は、さらに上下に分割されており、テレビジョン受像機４３ａ乃至４３ｃが取り付けられている上側のディスプレイ装着部４１ａと、テレビジョン受像機４３ａ乃至４３ｃに供給する電源や信号（画像または音声の信号）のケーブル１０１（図７）を分配する分配器１０２（図７）などを収納する下側の収納部４１ｂとから構成されている。
【００５１】
さらに、ディスプレイ装着部４１ａは、その上側から、テレビジョン受像機４３ａが取り付けられている上段ディスプレイ部４２ａ、テレビジョン受像機４３ｂが取り付けられている中段ディスプレイ部４２ｂ、テレビジョン受像機４３ｃが取り付けられている下段ディスプレイ部４２ｃ、およびディスプレイ装着部ベース４２ｄで構成されている。
【００５２】
テレビジョン受像機４３ａ乃至４３ｃは、ケーブル１０１（図７）で供給される信号に対応する画像や音声を出力する（画像を表示する）。なお、テレビジョン受像機４３ａ乃至４３ｃそれぞれは、上段ディスプレイ部４２ａ、中段ディスプレイ部４２ｂ、下段ディスプレイ部４２ｃから取り外すことが可能である。
【００５３】
垂直方向に長い直方体のディスプレイユニット３１の上面４４には、他のマルチテレビユニット２１が横方向（図面左右方向）に並んだときに、隣り合う他のマルチテレビユニットと固定を行うための金具と掛止爪が取り付けられている。例えば、図２の例の場合、ディスプレイユニット３１の上面４４の左側（左の辺に近い箇所）には、マルチテレビユニット２１−２の左側のマルチテレビユニット２１−１と固定を行うための金具５１ａと掛止爪５１ｂが、ディスプレイユニット３１の上面４４の右側（右の辺に近い箇所）には、マルチテレビユニット２１−２の右側のマルチテレビユニット２１−３と固定を行うための金具５２ａと掛止爪５２ｂが、それぞれ取り付けられている。
【００５４】
また、板状のベースユニット３２の左右の側面には、他のマルチテレビユニット２１が横方向（図面左右方向）に並んだときに、隣の他のマルチテレビユニット２１（図示せず）と固定を行うための凹部５３ａ（右側面）と凸部５３ｂ（左側面）が設けられている。
【００５５】
ディスプレイユニット３１の背面側のベースユニット３２の上面には、他の装置（隣の他のマルチテレビユニット２１も含む）と接続されているケーブル１０１（図７）を覆うためのカバー５４が取り付けられている。
【００５６】
以上のように構成されるマルチテレビユニット２１は、例えば、ベースユニット３２の底面に固定されたキャスタ３３ａ乃至３３ｄによって、図４に示すように、ディスプレイユニット３１を上側から見たときの中心（重心）である軸Ｐを中心にマルチテレビユニット２１自身を回転させることができる。
【００５７】
なお、図４では、図４の左側、真ん中、右側の順に、軸Ｐを中心としてマルチテレビユニット２１が反時計回りに回転されている場合の例を示しているが、マルチテレビユニット２１を時計回りに回転させることも勿論可能である。
【００５８】
また、マルチテレビユニット２１は、上述したように、３個のテレビジョン受像機４３ａ乃至４３ｃが取り付けられているディスプレイ装着部４１ａと収納部４１ｂとが分割されており、図５に示すように、マルチテレビユニット２１の収納部４１ｂより下側を正面に向けたまま、上側のディスプレイ装着部４１ａを、軸Ｐを中心として反時計回りに１８０度回転させることができる。この場合、テレビジョン受像機４３ａ乃至４３ｃを一体となして正面（表）から背面（裏）までの所望の方向に向けさせることができる。
【００５９】
さらに、マルチテレビユニット２１は、ディスプレイ装着部４１ａにおいて、テレビジョン受像機４３ａが取り付けられている上段ディスプレイ部４２ａ、テレビジョン受像機４３ｂが取り付けられている中段ディスプレイ部４２ｂ、およびテレビジョン受像機４３ｃが取り付けられている下段ディスプレイ部４２ｃが分割されており、図６に示すように、上段ディスプレイ部４２ａ、中段ディスプレイ部４２ｂ、下段ディスプレイ部４２ｃそれぞれは、正面を向いている下側のディスプレイ装着部ベース４２ｄ（や収納部４１ｂ）とは独立に、軸Ｐを中心として反時計回りに１８０度回転させることができる。なお、図６は、上段ディスプレイ部４２ａが反時計回りに回転している例を示している。
【００６０】
そして、マルチテレビユニット２１は、ベースユニット３２の左右の側面に設けられている凹部５３aおよび凸部５３ｂなどにより、任意の複数台（ｎ台とする）のマルチテレビユニット２１を横方向に並べて、３ｎ個のテレビジョン受像機４３のディスプレイが連携して画像を表示する図２の多画面テレビジョン受像機１１を容易に構築することができる。
【００６１】
図７は、マルチテレビユニット２１を背面側から見た場合の斜視図である。
【００６２】
ディスプレイユニット３１の収納部４１ｂ内には、右側の（一方の）マルチテレビユニット２１（図示せず）からケーブル１０１を介して供給される電源や信号を、テレビジョン受像機４３ａ乃至４３ｃそれぞれと、ケーブル１０１が接続されている右側の（他方の）マルチテレビユニットと反対側の左側のマルチテレビユニット２１（図示せず）とにケーブル１０１’を介して分配する分配器１０２が収納されている。
【００６３】
ここで、ケーブル１０１は、図８に示すように、信号を伝送する信号ケーブル１１１と、電源を供給する電源ケーブル１１２とが一体となされたケーブルである。
【００６４】
また、分配器１０２は、図９に示すように、ケーブル１０１を介して、右側のマルチテレビユニットから供給された信号および電源を、マルチテレビユニット２１に取り付けられているテレビジョン受像機４３ａ乃至４３ｃに分配（供給）するとともに、ケーブル１０１’を介して左側の（隣り合う）マルチテレビユニットにも分配（供給）する。
【００６５】
図７に戻り、マルチテレビユニット２１の背面側では、カバー５４が、ベースユニット３２の上面と収納部４１ｂの背面とを覆うようにして、ディスプレイユニット３１またはベースユニット３２に固定されて取り付けられている。
【００６６】
このカバー５４の左右の側面（両隣のマルチテレビユニットと対向する面）それぞれには、隣のマルチテレビユニットと接続されているケーブル１０１または１０１’が通る切りかき１０３ａまたは１０３ｂが設けられている。
【００６７】
従って、図１０に示すように、ｎ台のマルチテレビユニット２１−１乃至２１−ｎが横方向に並べて配置された場合、信号および電源を供給する他の装置（図示せず）と一方が接続されているケーブル１０１−１（図７のケーブル１０１に相当）の他方が、マルチテレビユニット２１−１の切りかき１０３ａ−１を通って分配器１０２−１に接続される。
【００６８】
また、分配器１０２−１と一方が接続されているケーブル１０１−２（図７のケーブル１０１’に相当）が、切りかき１０３ｂ−１および１０３a―２を通って、マルチテレビユニット２１−２の分配器１０２−２に接続される。これにより、マルチテレビユニット２１−１は、他の装置から供給された電源および信号を享受し、さらにマルチテレビユニット２１−２にも供給することができる。
【００６９】
同様にして、ケーブル１０１−３乃至１０１−ｎによって、マルチテレビユニット２１−２乃至２１−ｎの隣り合うマルチテレビユニット２１どうしが、互いに接続され、右隣のマルチテレビユニット２１から供給された電源および信号を左隣のマルチテレビユニット２１に供給する。
【００７０】
これにより、マルチテレビユニット２１−１乃至２１−ｎへの信号および電源の供給に必要なケーブルの数が少なくて済み、接続されているマルチテレビユニット２１−１乃至２１−ｎのすべてが、信号および電源を享受することができる。
【００７１】
また、カバー５４−１乃至５４−ｎにより、ケーブル１０１−１乃至１０１−ｎが露出しないので、見た目にきれいな配線を実現することができる。
【００７２】
次に、図５および図６に示したテレビジョン受像機４３ａ乃至４３ｃを回転させる機構について説明する。
【００７３】
図１１は、ディスプレイユニット３１を背面側から見た斜視図を示している。
【００７４】
ディスプレイユニット３１を上下に分割した上側であって、テレビジョン受像機４３ａ乃至４３ｃが取り付けられているディスプレイ装着部４１ａの内部には、図１１に示すように、垂直方向にディスプレイ装着部４１ａを軸通する円柱形（円筒体）のパイプ１２１が設けられている。
【００７５】
パイプ１２１の内側は空洞となされており、そこにテレビジョン受像機４３ａ乃至４３ｃに信号および電源を供給する信号ケーブル１２２ａおよび電源ケーブル１２２ｂが敷設されている。
【００７６】
垂直方向に長い直方体のディスプレイ装着部４１ａの底面には、ベアリング１２３が設けられている。
【００７７】
ベアリング１２３は、例えば、その外輪（図示せず）がディスプレイ装着部４１ａ（の筐体）と固定され、内輪（図示せず）がパイプ１２１と固定されている。また、ディスプレイ装着部４１ａには、装着部モータ２０３（図１６）が設けられている。ユーザの手または装着部モータ２０３により、軸Ｐを中心として反時計回りにディスプレイ装着部４１ａを回転させる力が加えられると、ベアリング１２３内の外輪と内輪に挟まれたボール（玉）（図示せず）が転がり、図１２に示すように、ディスプレイ装着部４１ａが反時計回りに回転する（ディスプレイ装着部４１ａを反時計回りに回転させる）。
【００７８】
図１２は、正面を向いていたディスプレイ装着部４１ａが、反時計回りに（図１１に示した状態から）９０度回転した状態を示している。
【００７９】
図１２に示す状態のディスプレイユニット３１を上方から見ると、図１３に示すようになる。
【００８０】
図１３において、ディスプレイ装着部４１ａの底面上であって、矩形とされる底面の一方の短辺の中央部付近に、ストッパ（突起物）１３１が取り付けられている。
【００８１】
また、収納部４１ｂの上面上であって、矩形とされる上面の両方の短辺それぞれの中央部付近に、ストッパ１３２ａおよび１３２ｂが取り付けられている。
【００８２】
ディスプレイ装着部４１ａが９０度回転されている図１３に示す状態から、ディスプレイ装着部４１ａが軸Ｐを中心としてさらに反時計回りに回転した場合、ディスプレイ装着部４１ａの底面に取り付けられているストッパ１３１が、収納部４１ｂの上面に取り付けられているストッパ１３２ｂに突き当たり、ディスプレイ装着部４１ａの回転が停止する。このとき、テレビジョン受像機４３ａ乃至４３ｃは、マルチテレビユニット２１の正面から、１８０度回転した状態となる。
【００８３】
一方、ディスプレイ装着部４１ａが９０度回転されている図１３に示す状態から、ディスプレイ装着部４１ａが軸Ｐを中心として時計回りに回転した場合（回転が戻された場合）、ディスプレイ装着部４１ａの底面に取り付けられているストッパ１３１が、収納部４１ｂの上面に取り付けられているストッパ１３２ａに突き当たり、ディスプレイ装着部４１ａの回転が停止する。このとき、テレビジョン受像機４３ａ乃至４３ｃは、マルチテレビユニット２１の正面を向いた状態となる。
【００８４】
以上のようにして、ディスプレイ装着部４１ａの回転がベアリング１２３により可能となるとともに、ストッパ１３１とストッパ１３２ａおよび１３２ｂとにより、ディスプレイ装着部４１ａの回転範囲を０乃至１８０度に抑制することができる。
【００８５】
上段ディスプレイ部４２ａ、中段ディスプレイ部４２ｂ、下段ディスプレイ部４２ｃそれぞれを、軸Ｐを中心として回転させる場合も、同様の機構が採用される。
【００８６】
図１４および図１５は、中段ディスプレイ部４２ｂが回転する場合の例を示している。
【００８７】
中段ディスプレイ部４２ｂの上面には、ベアリング１４１が取り付けられている。このベアリング１４１の外輪（図示せず）は、中段ディスプレイ部４２ｂの筐体と固定され、内輪（図示せず）は、パイプ１２１と固定されている。
【００８８】
また、中段ディスプレイ部４２ｂの底面（下面）には、ベアリング１４２が取り付けられている。このベアリング１４２の外輪（図示せず）は、中段ディスプレイ部４２ｂの筐体と固定され、内輪（図示せず）は、パイプ１２１と固定されている。さらに、中段ディスプレイ部４２ｂの上面または底面には、ディスプレイ部モータ２０４（図１６）が設けられている。
【００８９】
そして、ユーザの手またはディスプレイ部モータ２０４により、軸Ｐを中心として反時計回りに中段ディスプレイ部４２ｂを回転させる力が加えられると、図１５に示すように、パイプ１２１が回転することなく、中段ディスプレイ部４２ｂが回転する（中段ディスプレイ部４２ｂを回転させる）。
【００９０】
なお、上述したベアリング１２３、１４１、１４２などは、軸受けを垂直方向に対向するように取り付けて、ディスプレイ装着部４１ａ、上段ディスプレイ部４２ａ、中段ディスプレイ部４２ｂ、または下段ディスプレイ部４２ｃを回転させるようにすることもできる。
【００９１】
図１４の中段ディスプレイ部４２ｂ内のパイプ１２１には、テレビジョン受像機４３ｂと接続する信号ケーブル１２２aおよび電源ケーブル１２２ｂをパイプ１２１内から取り出すための開口部１４３が設けられている。
【００９２】
パイプ１２１は、中段ディスプレイ部４２ｂ（テレビジョン受像機４３ｂ）の回転に応じて信号ケーブル１２２aおよび電源ケーブル１２２ｂが追従可能なように、中段ディスプレイ部４２ｂの回転範囲に応じた開口部１４３を有している。即ち、パイプ１２１の円周方向の開口部１４３の横幅が、中段ディスプレイ部４２ｂの回転角度に対応している。
【００９３】
従って、パイプ１２１内にある信号ケーブル１２２ａおよび電源ケーブル１２２ｂは、中段ディスプレイ部４２ｂの回転とは無関係なため、即ち、中段ディスプレイ部４２ｂが回転しても信号ケーブル１２２aおよび電源ケーブル１２２ｂは動かないため、捻れることがない。
【００９４】
また、パイプ１２１外にある（パイプ１２１からテレビジョン受像機４３ｂまでの）信号ケーブル１２２ａおよび電源ケーブル１２２ｂは、中段ディスプレイ部４２ｂが回転した場合、その回転に追従して開口部１４３内を移動するので、捻れることがない。
【００９５】
以上のように、マルチテレビユニット２１によれば、マルチテレビユニット２１単体で垂直方向の軸Ｐを中心に回転させることは勿論、マルチテレビユニット２１の下部（ディスプレイユニット３１の収納部４１ｂおよびベースユニット３２）を回転させずに、ディスプレイユニット３１を回転させることができる。これにより、テレビジョン受像機４３ａ乃至４３ｃが一体となした状態で（正面の向きから１８０度の範囲を）回転させることができる。
【００９６】
さらに、マルチテレビユニット２１によれば、上段ディスプレイ部４２a、中段ディスプレイ部４２ｂ、下段ディスプレイ部４２ｃそれぞれを単独に（正面の向きから１８０度の範囲を）回転させることができる。
【００９７】
したがって、図２を参照して上述した、３台のマルチテレビユニット２１−１乃至２１−３で構成される多画面テレビジョン受像機１１においては、９個のテレビジョン受像機４３のうちの、任意の個数のディスプレイを用途に応じて反転させることも可能である。
【００９８】
なお、上述したマルチテレビユニット２１では、３個のテレビジョン受像機４３ａ乃至４３ｃを縦１列に配置し、３個のテレビジョン受像機４３ａ乃至４３ｃ単独でまたは全てを回転させる例について説明したが、３個のテレビジョン受像機４３ａ乃至４３ｃを横１列に配置し、３個のテレビジョン受像機４３ａ乃至４３ｃ単独でまたは全てを回転させるようにしてもよい。
【００９９】
また、上述したマルチテレビユニット２１に取り付けるテレビジョン受像機４３の個数は、３個に限定されず、任意の個数とすることができる。
【０１００】
図１６は、多画面テレビジョン受像機１１の電気的な内部構成例を示すブロック図である。
【０１０１】
制御部２０１は、例えば、マイクロコンピュータなどで構成され、多画面テレビジョン受像機１１の動作の全体を制御しており、受光部２２−１を介して、リモートコントローラ１２より発せられるコマンドを受信し、受信したコマンドに基づいて、マルチディスプレイユニット２１−１乃至２１−３毎に設けられる回転制御部２０２−１乃至２０２−３、並びに、各テレビジョン受像機４３ａ−１乃至４３ａ−３，４３ｂ−１乃至４３ｂ−３，および４３ｃ−１乃至４３ｃ−３を制御する。
【０１０２】
すなわち、制御部２０１は、リモートコントローラ１２より発せられたコマンドが、回転を指示する回転コマンドであるか否かを判定し、回転コマンドであると判定した場合、回転制御部２０２−１乃至２０２−３のうち、回転の対象となる回転制御部２０２を制御し、対応するモータを動作させる。
【０１０３】
一方、回転コマンドではないと判定した場合、制御部２０１は、受信したコマンドを、すべてのテレビジョン受像機４３に供給し、コマンドに応じた処理を実行させる。
【０１０４】
また、制御部２０１は、各テレビジョン受像機４３により生成される、自己の状態に対応したコマンドを所定の光信号に変換し、発光部２２−２を発光させる。
【０１０５】
回転制御部２０２−１乃至２０２−３は、マルチディスプレイユニット２１−１乃至２１−３毎に設けられており、制御部２０１の制御のもと、マルチディスプレイユニット２１−１乃至２１−３毎に設けられる装着部モータ２０３−１乃至２０３−３、並びにディスプレイ部モータ２０４ａ−１乃至２０４ｃ−１，２０４ａ−２乃至２０４ｃ−２，および２０４ａ−３乃至２０４ｃ−３のうち、回転の対象となるモータを動作させる。
【０１０６】
装着部モータ２０３−１乃至２０２−３は、各マルチディスプレイユニット２１−１乃至２１−３において、ディスプレイユニット３１のディスプレイ装着部４１ａの内部にそれぞれ設けられており、回転制御部２０２−１乃至２０２−３の制御のもと、対応するディスプレイ装着部４１ａを回転させる力を加えて、図５を参照して上述したように、軸Ｐを中心として反時計回りに１８０度回転させることができる。この場合、テレビジョン受像機４３ａ乃至４３ｃを一体となして正面（表）から背面（裏）までの所望の方向に向けさせることができる。
【０１０７】
ディスプレイ部モータ２０４ａ−１乃至２０４ｃ−１は、マルチディスプレイユニット２１−１において、テレビジョン受像機４３ａ乃至４３ｃがそれぞれ取り付けられている上段ディスプレイ部４２ａ、中段ディスプレイ部４２ｂ、下段ディスプレイ部４２ｃの上面または底面にそれぞれ設けられており、回転制御部２０２−１の制御のもと、対応するディスプレイ部４２を回転させる力を加え、図６を参照して上述したように、マルチディスプレイユニット２１−１のテレビジョン受像機４３ａ乃至４３ｃのいずれか対応するものを、軸Ｐを中心として反時計回りに１８０度回転させることができる。
【０１０８】
ディスプレイ部モータ２０４ａ−２乃至２０４ｃ−２は、マルチディスプレイユニット２１−２において、テレビジョン受像機４３ａ乃至４３ｃがそれぞれ取り付けられている上段ディスプレイ部４２ａ、中段ディスプレイ部４２ｂ、下段ディスプレイ部４２ｃの上面または底面にそれぞれ設けられており、回転制御部２０２−２の制御のもと、対応するディスプレイ部４２を回転させる力を加え、マルチディスプレイユニット２１−２のテレビジョン受像機４３ａ乃至４３ｃのいずれか対応するものを、軸Ｐを中心として反時計回りに１８０度回転させることができる。
【０１０９】
ディスプレイ部モータ２０４ａ−３乃至２０４ｃ−３は、マルチディスプレイユニット２１−３において、テレビジョン受像機４３ａ乃至４３ｃがそれぞれ取り付けられている上段ディスプレイ部４２ａ、中段ディスプレイ部４２ｂ、下段ディスプレイ部４２ｃの上面または底面にそれぞれ設けられており、回転制御部２０２−３の制御のもと、対応するディスプレイ部４２を回転させる力を加え、マルチディスプレイユニット２１−３のテレビジョン受像機４３ａ乃至４３ｃのいずれか対応するものを、軸Ｐを中心として反時計回りに１８０度回転させることができる。
【０１１０】
なお、回転制御部２０２−１乃至２０２−３、装着部モータ２０３−１乃至２０２−３、並びに、ディスプレイ部モータ２０４ａ−１乃至２０４ｃ−１，２０４ａ−２乃至２０４ｃ−２，および２０４ａ−３乃至２０４ｃ−３をそれぞれ区別する必要がない場合、それぞれ、単に、回転制御部２０２、装着部モータ２０３、並びにディスプレイ部モータ２０４と称する。
【０１１１】
図１７は、テレビジョン受像機４３の電気的な内部構成例を示すブロック図である。
【０１１２】
受像機制御部２２１は、例えば、マイクロコンピュータなどで構成され、テレビジョン受像機４３の動作の全体を制御しており、多画面テレビジョン受像機１１の全体を制御する制御部２０１（図１６）より供給されてくるコマンドに基づいて、チューナ２２２、画像処理部２２３、および音声処理部２２６を制御する。
【０１１３】
また、受像機制御部２２１は、コマンドの指令内容に応じて、テレビジョン受像機４３の状態を認識し、リモートコントローラ１２に対して供給するテレビジョン受像機４３の動作状態を示すコマンドを生成し、生成したコマンドを、制御部２０１に供給する。
【０１１４】
チューナ２２２は、受像機制御部２２１の制御のもと、図示せぬアンテナより受信される放送局からの放送信号を所定の方式で復調し、画像信号を画像処理部２２３に、音声信号を音声処理部２２６にそれぞれ供給する。
【０１１５】
画像処理部２２３は、受像機制御部２２１の制御のもと、必要に応じてメモリ２２４を適宜使用しながら、チューナ２２２より供給されてくる画像信号を、ディスプレイ２２５で表示可能な信号に変換して、対応する画像を表示させる。音声処理部２２６は、受像機制御部２２１の制御のもと、チューナ２２２より供給されてくる音声信号を、例えば、DA（デジタルアナログ）変換して、対応する音声をスピーカ２２７より出力させる。
【０１１６】
図１８は、図２のリモートコントローラの外観の構成例を示す斜視図である。
【０１１７】
図１８の例においては、リモートコントローラ１２の回転部２４の３つの側面２４１−１乃至２４１−３のうちの側面２４１−１が、本体部２３の前面２４２と平行であり、かつ、同じ方向を向いている状態の例が示されている。
【０１１８】
リモートコントローラ１２の回転部２４は、その底面が正三角形となるような正三角柱で構成され、長方形の３つの側面２４１−１乃至２４１−３を有している。回転部２４の各側面２４１−１乃至２４１−３には、それぞれ所定の数の、多画面テレビジョン受像機１１におけるテレビジョン受像機４３の位置に対応する選択ボタンが設けられている。この選択ボタンは、対応する位置のテレビジョン受像機４３をアクティブ状態に設定するものである。
【０１１９】
側面２４１−１には、多画面テレビジョン受像機１１における各テレビジョン受像機４３ａ−１乃至４３ｃ−１，４３ａ−２乃至４３ｃ−２，および４３ａ−３乃至４３ｃ−３の位置にそれぞれ対応して、９個の選択ボタン２５１ａ−１乃至２５１ｃ−１，２５１ａ−２乃至２５１ｃ−２，および２５１ａ−３乃至２５１ｃ−３が設けられている。
【０１２０】
側面２４１−２には、多画面テレビジョン受像機１１における各テレビジョン受像機４３ａ−２乃至４３ｃ−２，および４３ａ−３乃至４３ｃ−３の位置にそれぞれ対応して、６個の選択ボタン２５１ａ−２乃至２５１ｃ−２，および２５１ａ−３乃至２５１ｃ−３が設けられている。
【０１２１】
側面２４１−３（図１９）には、多画面テレビジョン受像機１１における各テレビジョン受像機４３ａ−３乃至４３ｃ−３の位置にそれぞれ対応して、３個の選択ボタンおよび２５１ａ−３乃至２５１ｃ−３が設けられている。
【０１２２】
なお、以下、側面２４１−１乃至２４１−３、並びに、選択ボタン２５１ａ−１乃至２５１ｃ−１，２５１ａ−２乃至２５１ｃ−２，および２５１ａ−３乃至２５１ｃ−３を、個々に区別する必要がない場合、単に側面２４１、および選択ボタン２５１と称する。
【０１２３】
各側面２４１に設けられている選択ボタン２５１は、対応する側面２４１−１乃至２４１−３が本体部２３の前面２４２と平行であり、かつ同じ方向を向いている状態のときにだけ機能する。
【０１２４】
本体部２３は、薄型の直方体で構成され、本体部２３の前面２４２には、電源ボタン２６１、多画面テレビジョン受像機１１における表示機能を切り替えるための３個の機能ボタン２６２−１乃至２６２−３、アクティブ状態であるテレビジョン受像機４３の音量を変更するためのボリュームボタン２６３、アクティブ状態に設定されているテレビジョン受像機４３に表示されるチャンネルを選択するためのチャンネル選択ボタン２６４が設けられている。
【０１２５】
表示機能としては、基本状態、拡大表示状態、ストロボ表示状態などの機能があり、ここでは、機能ボタン２６２−１が押下されることにより基本状態の機能に切り替わり、機能ボタン２６２−２が押下されることにより拡大表示状態の機能に切り替わり、機能ボタン２６２−３が押下されることによりストロボ表示状態の機能に切り替わるものとしていく。なお、表示機能は、これらに限定されず、表示機能の数に応じて機能ボタンの数も増える。
【０１２６】
ここで、基本状態とは、９個のテレビジョン受像機４３が、いずれも異なるチャンネルを表示しており、選択ボタン２５１によりアクティブ状態にされたテレビジョン受像機４３に設定されたチャンネルの音声だけが出力される状態である。
【０１２７】
拡大表示状態とは、９個のテレビジョン受像機４３のうちアクティブ状態に設定された画像を、９個のテレビジョン受像機４３の全体で１枚のディスプレイとして表示する状態である。
【０１２８】
ストロボ表示状態とは、９個のテレビジョン受像機４３が、９個のテレビジョン受像機４３のうちアクティブ状態に設定された画像を、所定の遅延時間だけ遅延させながら順次表示する状態である。
【０１２９】
また、リモートコントローラ１２において、回転部２４は、底面の重心（中心）の軸Ｑを中心に、矢印Ａ方向（すなわち、回転部２４の底面側）からみて本体部２３に対して反時計回りに回転可能に、本体部２３に保持された保持筒（図示せぬ）を介して、本体部２３に接続されており、その接続部分である回転部２４の底面とそれに対面する本体部２３の面には、回転部２４を定位置で停止させるための機構、例えば、それぞれ、図示せぬ３組の凹部と１組の凸部が設けられている。
【０１３０】
なお、いまの場合、反時計周りに回転可能する例を説明するが、回転部２４は、底面の重心（中心）の軸Ｑを中心に、矢印Ａ方向からみて本体部２３に対して時計回りに回転可能に構成することもできるし、反時計回りおよび時計回りの両方の回転が可能にも構成することができる。
【０１３１】
例えば、図１９に示されるように、リモートコントローラ１２において、回転部２４の側面２４１−１が本体部２３の前面２４２と平行であり、かつ、同じ方向を向いている状態２８１においては、多画面テレビジョン受像機１１のすべてのテレビジョン受像機４３も、正面を向いている。
【０１３２】
リモートコントローラ１２において、回転部２４の側面２４１−１が本体部２３の前面２４２と平行であり、かつ同じ方向を向いている状態２８１から、回転部２４が、軸Ｑを中心に、矢印Ａ方向からみて本体部２３に対して反時計回りに回転された場合、本体部２３の面の凸部が、回転部２４の底面の凹部に嵌り、回転部２４の回転が停止し、リモートコントローラ１２は、回転部２４の側面２４１−２が、本体部２３の前面２４２と平行であり、かつ同じ方向を向いている状態２８２となる。
【０１３３】
このとき、リモートコントローラ１２においては、回転部２４の回転が検出されて、多画面テレビジョン受像機１１のマルチテレビジョンユニット２１−１の回転を指示する回転コマンドが、多画面テレビジョン受像機１１に対して送出される。
【０１３４】
これに対応して、状態２８１である多画面テレビジョン受像機１１においては、テレビジョン受像機４３ａ−１乃至４３ｃ−１が装着されているディスプレイ装着部４１ａが、図５の軸Ｐを中心として反時計回りに回転され、その結果、矢印２９１に示されるように、テレビジョン受像機４３ａ−１乃至４３ｃ−１が、正面から１８０度回転した後ろ向きの状態２８２となる。
【０１３５】
すなわち、多画面テレビジョン受像機１１においては、リモートコントローラ１２の回転部２４が回転された後、本体部２３の前面２４２と平行で、かつ同じ方向を向いている側面２４１−２に設けられた６個の選択ボタン２５１ａ−２乃至２５１ｃ−２，および２５１ａ−３乃至２５１ｃ−３が対応するテレビジョン受像機４３ａ−２乃至４３ｃ−２、および４３ａ−３乃至４３ｃ−３のみが正面を向いている状態２８２となる。
【０１３６】
これにより、多画面テレビジョン受像機１１において正面を向いているテレビジョン受像機４３ａ−２乃至４３ｃ−２、および４３ａ−３乃至４３ｃ−３と、リモートコントローラ１２の回転部２４における本体部２３の前面２４２と平行で、かつ同じ方向を向いている側面４２１−２に設けられた選択ボタン２５１ａ−２乃至２５１ｃ−２，および２５１ａ−３乃至２５１ｃ−３が対応する（すなわち、アクティブ状態に設定する対象である）テレビジョン受像機４３ａ−２乃至４３ｃ−２、および４３ａ−３乃至４３ｃ−３が一致する。
【０１３７】
次に、図２０に示されるように、リモートコントローラ１２の回転部２４の側面２４１−２が、本体部２３の前面２４２と平行であり、かつ同じ方向を向いている状態２８２においては、多画面テレビジョン受像機１１のテレビジョン受像機４３ａ−２乃至４３ｃ−２、および４３ａ−３乃至４３ｃ−３のみが正面を向いている。
【０１３８】
この状態２８２において、リモートコントローラ１２の回転部２４が、軸Ｑを中心に、矢印Ａ方向からみて本体部２３に対して反時計回りに回転された場合、本体部２３の面の凸部が、回転部２４の底面の凹部に嵌り、回転部２４の回転が停止し、リモートコントローラ１２は、回転部２４の側面２４１−３が、本体部２３の前面２４２と平行であり、かつ同じ方向を向いている状態２８３となる。
【０１３９】
このとき、リモートコントローラ１２においては、回転部２４の回転が検出されて、多画面テレビジョン受像機１１のマルチテレビジョンユニット２１−２の回転を指示する回転コマンドが、多画面テレビジョン受像機１１に対して送出される。
【０１４０】
これに対応して、テレビジョン受像機４３ａ−１乃至４３ｃ−１が後ろ向いている状態２８２である多画面テレビジョン受像機１１においては、テレビジョン受像機４３ａ−２乃至４３ｃ−２が装着されているディスプレイ装着部４１ａが、さらに、図５の軸Ｐを中心として反時計回りに回転され、その結果、矢印２９２に示されるように、テレビジョン受像機４３ａ−１乃至４３ｃ−１および４３ａ−２乃至４３ｃ−２が、正面から、１８０度回転した後ろ向きの状態２８３となる。
【０１４１】
すなわち、多画面テレビジョン受像機１１においては、リモートコントローラ１２の回転部２４が回転された後、本体部２３の前面２４２と平行で、かつ同じ方向を向いている側面２４１−３に設けられた３個の選択ボタン２５１ａ−３乃至２５１ｃ−３が対応するテレビジョン受像機４３ａ−３乃至４３ｃ−３のみが正面を向いている状態２８３となる。
【０１４２】
これにより、多画面テレビジョン受像機１１において正面を向いているテレビジョン受像機４３ａ−３乃至４３ｃ−３と、リモートコントローラ１２の回転部２４における本体部２３の前面２４２と平行で、かつ同じ方向を向いている側面４２１−３に設けられた選択ボタン２５１ａ−３乃至２５１ｃ−３が対応するテレビジョン受像機４３ａ−３乃至４３ｃ−３が一致する。
【０１４３】
さらに、図２１に示されるように、リモートコントローラ１２の回転部２４の側面２４１−３が、本体部２３の前面２４２と平行であり、かつ同じ方向を向いている状態２８３においては、多画面テレビジョン受像機１１のテレビジョン受像機４３ａ−３乃至４３ｃ−３のみが正面を向いている。
【０１４４】
この状態２８３において、リモートコントローラ１２の回転部２４が、軸Ｑを中心に、矢印Ａ方向からみて本体部２３に対して反時計回りに回転された場合、本体部２３の面の凸部が、回転部２４の底面の凹部に嵌り、回転部２４の回転が停止し、リモートコントローラ１２は、回転部２４の側面２４１−１が、本体部２３の前面２４２と平行となった状態２８１となる。
【０１４５】
このとき、リモートコントローラ１２においては、回転部２４の回転が検出されて、多画面テレビジョン受像機１１のマルチテレビジョンユニット２１−１および２１−２の回転を指示する回転コマンドが、多画面テレビジョン受像機１１に対して送出される。
【０１４６】
これに対応して、テレビジョン受像機４３ａ−１乃至４３ｃ−１および４３ａ−２乃至４３ｃ−２が後ろ向いている状態２８３である多画面テレビジョン受像機１１においては、テレビジョン受像機４３ａ−１乃至４３ｃ−１および４３ａ−２乃至４３ｃ−２が装着されている２つのディスプレイ装着部４１ａが、図５の軸Ｐを中心として反時計回りに回転され、その結果、矢印２９３に示されるように、すべてのテレビジョン受像機４３ａ−１乃至４３ｃ−１、４３ａ−２乃至４３ｃ−２、および４３ａ−１乃至４３ｃ−３が正面を向いた状態２８１になる。
【０１４７】
すなわち、多画面テレビジョン受像機１１においては、リモートコントローラ１２の回転部２４が回転された後、本体部２３の前面２４２と平行であり、かつ同じ方向を向いている側面２４１−１に設けられた９個の選択ボタン２５１ａ−１乃至２５１ｃ−１，２５１ａ−２乃至２５１ｃ−２，および２５１ａ−３乃至２５１ｃ−３が対応するテレビジョン受像機４３すべてが正面を向いている状態２８１になる(すなわち、図１９の状態２８１に戻る)。
【０１４８】
これにより、多画面テレビジョン受像機１１において正面を向いているテレビジョン受像機４３ａ−１乃至４３ｃ−１、４３ａ−２乃至４３ｃ−２、および４３ａ−３乃至４３ｃ−３と、リモートコントローラ１２の回転部２４における、本体部２３の前面２４２と平行であり、かつ同じ方向を向いている側面４２１−１に設けられた選択ボタン２５１ａ−１乃至２５１ｃ−１，２５１ａ−２乃至２５１ｃ−２，および２５１ａ−３乃至２５１ｃ−３が対応するレビジョン受像機４３ａ−１乃至４３ｃ−１、４３ａ−２乃至４３ｃ−２、および４３ａ−３乃至４３ｃ−３が一致する。
【０１４９】
以上のように、リモートコントローラ１２の回転部２４の回転状態に応じて、多画面テレビジョン受像機１１におけるテレビジョン受像機４３も回転させ、リモートコントローラ１２の回転部２４における本体部２３の前面２４２と平行であり、かつ同じ方向を向いている側面４２１に設けられた選択ボタン２５１が対応するテレビジョン受像機４３と、多画面テレビジョン受像機１１において正面を向いているテレビジョン受像機４３が一致される。
【０１５０】
これにより、ユーザは、リモートコントローラ１２の回転部２４における操作対象である側面４２１を見るだけで、どのテレビジョン受像機４３が正面を向いているのかを認識することができ、結果的に、ユーザ側（正面）を向くテレビジョン受像機４３を選択し操作するときに、選択ボタンを押し間違えることがなくなるなど、簡単に、多画面テレビジョン受像機１１を操作することができる。
【０１５１】
図２２は、図１８のリモートコントローラの電気的な内部構成例を示すブロック図である。
【０１５２】
図２２のリモートコントローラ１２は、回転検出部３１１、操作入力部３１２、LED（Light Emitting Diode）３１３、制御部３１４、フレーム生成部３１５、送信処理部３１６、発光部３１７、受光部３１８、および受信処理部３１９により構成されている。
【０１５３】
回転検出部３１１は、例えば、図１８を参照して上述した本体部２３の面の凸部、または、回転部２４の底面の凹部などに設けられており、本体部２３の面の凸部が、回転部２４の底面の凹部に嵌った場合に、回転部２４の回転（すなわち、回転部２４のある側面２４１が、本体部２３の前面２４２と平行であり、同じ方向を向いている状態になったこと）を検出し、その検出結果を、制御部３１４に供給する。
【０１５４】
なお、もちろん、回転部２４と本体部２３の接続部分に、ダイヤル式のスイッチなどを設け、それにより回転検出部３１１を構成することもできる。すなわち、回転検出部３１１の構成は、上述した例に限定されない。
【０１５５】
操作入力部３１２は、例えば、感圧センサなどにより構成されており、本体部２３の前面２４２に設けられる各ボタンや、本体部２３の前面２４２と平行にされた回転部２４の側面２４１に設けられる選択ボタン２５１に内蔵され、ユーザによるボタンの押下に応じた操作信号を、制御部３１４に供給する。
【０１５６】
LED３１３は、回転部２４の各側面２４１に設けられる各選択ボタン２５１に内蔵されており、制御部３１４の制御に応じた選択ボタン２５１を発光させる。
【０１５７】
制御部３１４は、例えば、マイクロコンピュータなどで構成されており、リモートコントローラ１２の動作の全体を制御する。
【０１５８】
制御部３１４は、機能的に、回転コマンド生成部３２１、操作コマンド生成部３２２、コマンド認識部３２３、記憶部３２４、および点灯制御部３２５により構成されており、回転検出部３１１からの検出結果や、操作入力部３１２からの操作信号、または受信処理部３１９からのコマンドにより認識されるテレビジョン受像機４３の動作状態に基づいて、多画面テレビジョン受像機１１への指令を、多画面テレビジョン受像機１１により認識可能なコマンドとして生成し、生成したコマンドをフレーム生成部３１５に供給する。
【０１５９】
また、制御部３１４は、回転検出部３１１からの検出結果や、受信処理部３１９からのコマンドにより認識されるテレビジョン受像機４３の動作状態に基づいて、LED３１３を発光させる。
【０１６０】
回転コマンド生成部３２１は、回転部２４のどの側面２４１が、本体部２３の本体部２３の前面２４２と平行で、かつ同じ方向を向いている状態であるかという、回転部２４の回転状態を記憶している。
【０１６１】
回転コマンド生成部３２１は、回転検出部３１１からの検出結果が入力されると、現在の回転部２４の回転状態を更新するとともに、その情報を、点灯制御部３２５に供給する。また、回転コマンド生成部３２１は、現在の回転部２４の回転状態に基づいて、多画面テレビジョン受像機１１のテレビジョン受像機４３ａ乃至４３ｃが取り付けられているディスプレイ装着部４１ａや各テレビジョン受像機４３が取り付けられているディスプレイ部４２の回転を指示する回転コマンドを生成し、生成された回転コマンドを、フレーム生成部３１５に供給する。
【０１６２】
操作コマンド生成部３２２は、操作入力部３１２からの操作信号に応じて、記憶部３２４に記憶されるテレビジョン受像機４３の動作状態の情報を参照し、対応するテレビジョン受像機４３への指令を表す操作コマンドを生成し、生成された操作コマンドを、フレーム生成部３１５に供給する。
【０１６３】
コマンド認識部３２３は、受信処理部３１９が受信したコマンドにより、テレビジョン受像機４３の動作状態を認識し、認識したテレビジョン受像機４３の動作状態の情報を記憶部３２４に記憶させる。動作状態とは、図１８を参照して上述した基本状態、拡大表示状態、およびストロボ表示状態などのことである。
【０１６４】
記憶部３２４は、コマンド認識部３２３からのテレビジョン受像機４３の動作状態の情報を記憶している。なお、多画面テレビジョン受像機１１からは、アクティブ状態が設定されているテレビジョン受像機４３のみからコマンドが送信されてくる。したがって、記憶部３２４には、アクティブ状態のテレビジョン受像機４３の動作状態の情報が記憶される。
【０１６５】
点灯制御部３２５は、回転コマンド生成部３２１からの現在の回転部２４の回転状態の情報、および記憶部３２４に記憶されているテレビジョン受像機４３の動作状態の情報を参照し、回転部２４の回転状態およびテレビジョン受像機４３の動作状態に応じて、対応する側面２４１の、対応する選択ボタン２５１に内蔵されるLED３１３を発光させる。
【０１６６】
フレーム生成部３１５は、回転コマンド生成部３２１または操作コマンド生成部３２２からのコマンドにヘッダを付けて、送信フレームを生成し、生成した送信フレームを送信処理部３１６に供給する。送信処理部３１６は、フレーム生成部３１５からの送信フレームを、発光信号に変換し、発光部３１７を発光させる。
【０１６７】
受光部３１８は、多画面テレビジョン受像機１１の発光部２２−２より発光された光信号を受光し、受光された光信号を、電気信号に変換し、受信処理部３１９に供給する。受信処理部３１９は、受光部３１８からの電気信号に基づいて、コマンドを復元し、制御部３１４に供給する。
【０１６８】
次に、図２３のフローチャートを参照して、リモートコントローラ１２の制御処理について説明する。
【０１６９】
ステップＳ１１において、回転検出部３１１は、回転部２４の回転を検出するまで待機している。
【０１７０】
例えば、リモートコントローラ１２において、回転部２４の側面２４１−１が本体部２３の前面２４２と平行であり、かつ同じ方向を向いている状態２８１（図１９）から、ユーザの操作により、回転部２４が、軸Ｑを中心に、図１８の矢印Ａ方向から見て本体部２３に対して反時計回りに回転され、本体部２３の面の凸部が、回転部２４の底面の凹部に嵌り、回転部２４の回転が停止し、回転部２４の側面２４１−２が、本体部２３の前面２４２と平行であり、かつ同じ方向を向いている状態２８２となる。
【０１７１】
これに対応して、回転検出部３１１は、ステップＳ１１において、回転部２４の回転を検出したと判定し、検出結果を、回転コマンド生成部３２１に供給し、処理は、ステップＳ１２に進む。なお、検出結果としては、回転したことのみを供給することとして説明するが、本体部２３の前面２４２と平行であり、かつ同じ方向を向いている状態となった側面２４１の情報も検出して供給することもできる。
【０１７２】
このとき、回転コマンド生成部３２１は、回転部２４の回転状態を記憶しており、回転検出部３１１からの検出結果が入力されると、現在の回転部２４の回転状態を更新するとともに、その情報を、点灯制御部３２５に供給する。
【０１７３】
ステップＳ１２において、点灯制御部３２５は、回転コマンド生成部３２１からの現在の回転部２４の回転状態の情報と、記憶部３２４に記憶されているテレビジョン受像機４３の動作状態の情報を参照し、回転部２４の回転状態とテレビジョン受像機４３の動作状態に応じて、対応する選択ボタン２５１に内蔵されるLED３１３を発光させる。
【０１７４】
具体的には、多画面テレビジョン受像機１１において、コマンドを送信してくるのは、アクティブ状態が設定されているテレビジョン受像機４３であるので、記憶部３２４には、アクティブ状態であるテレビジョン受像機４３の情報と、そのアクティブ状態であるテレビジョン受像機４３の動作状態の情報が記憶されている。
【０１７５】
例えば、回転部２４の側面２４１−１が本体部２３の前面２４２と平行であり、かつ同じ方向を向いている状態２８１（図１９）であり、記憶部３２４には、アクティブ状態であるテレビジョン受像機４３ｂ−２の動作状態が基本状態であることが記憶されている場合、リモートコントローラ１２においては、回転部２４の側面２４１−１上の、テレビジョン受像機４３ｂ−２の位置に対応する選択ボタン２５１ｂ−２に内蔵されるLED３１３が発光している。
【０１７６】
ここで、回転検出部３１１により回転部２４の回転が検出され、回転コマンド生成部３２１からの現在の回転部２４の回転状態の情報として、回転部２４の側面２４１−２が本体部２３の前面２４２と平行であり、かつ同じ方向を向いている状態２８２の情報が供給される。これに対応して、点灯制御部３２５は、回転部２４の側面２４１−２に設けられている選択ボタン２５１と、テレビジョン受像機４３ｂ−２がアクティブ状態あり、動作状態が基本状態であることに応じて、回転部２４の側面２４１−２上の、テレビジョン受像機４３ｂ−２の位置に対応する選択ボタン２５１ｂ−２に内蔵されるLED３１３を発光させる。
【０１７７】
なお、ユーザの操作に応じて、テレビジョン受像機４３ｂ−１のアクティブ状態が選択されている場合、回転前にLED３１３が発光していた選択ボタン２５１ｂ−１は、回転後に、本体部２３の前面２４２と平行であり、かつ同じ方向を向く側面２４１−２には存在しないので、この場合は、LED３１３は、発光されない。また、動作状態が基本状態以外である場合については、ステップＳ２１の説明において詳しく後述する。
【０１７８】
回転部２４の回転状態の情報を、点灯制御部３２５に供給すると、回転コマンド生成部３２１は、ステップＳ１３において、多画面テレビジョン受像機１１のテレビジョン受像機４３を回転させる回転コマンドを生成し、生成した回転コマンドを、フレーム生成部３１５に供給する。
【０１７９】
すなわち、回転コマンド生成部３２１は、現在の回転部２４の回転状態（例えば、回転部２４の側面２４１−２が本体部２３の前面２４２と平行であり、かつ同じ方向を向いている状態２８２）に基づいて、例えば、図１９を上述して参照したように、マルチテレビジョンユニット２１−１を回転させる回転コマンドを生成する。この回転コマンドに応じて、詳しくは後述するが、多画面テレビジョン受像機１１において、マルチテレビジョンユニット２１−１を回転させる処理が実行される。
【０１８０】
なお、テレビジョン受像機４３の回転の順が決まっているのであれば、リモートコントローラ１２においては、回転の１回の検出につき、回転コマンドが送出され、多画面テレビジョン受像機１１においては、送出された回転コマンドを受信する毎に、マルチテレビジョンユニット２１−１の１８０度回転、マルチテレビジョンユニット２１−２の１８０度回転、および、マルチテレビジョンユニット２１−１および２１−２のさらなる１８０度回転が、繰り返し順に実行されるように予め設定しておくこともできる。
【０１８１】
また、多画面テレビジョン受像機１１において、各マルチテレビジョンユニット２１またはテレビジョン受像機４３の回転状態を記憶しておき、リモートコントローラ１２においては、回転の１回の検出につき、回転コマンドが送出されるだけであり、送出された回転コマンドと、テレビジョン受像機４３の回転状態に応じて、多画面テレビジョン受像機１１が回転させるマルチテレビジョンユニット２１またはテレビジョン受像機４３を回転させるようにすることできる。
【０１８２】
以上のように、回転コマンドの内容は、システムの構成（多画面テレビジョン受像機１１とリモートコントローラ１２の処理分担）により変更可能である。
【０１８３】
話は、図２３に戻り、ステップＳ１１において、回転を検出していないと判定された場合、処理は、ステップＳ１４に進む。
【０１８４】
ステップＳ１４において、操作入力部３１２は、ユーザの操作が入力されたか否かを判定し、ユーザの操作が入力されたと判定した場合、ユーザの操作に応じた操作信号を操作コマンド生成部３２２に供給する。
【０１８５】
操作コマンド生成部３２２は、操作入力部３１２より操作信号が入力されると、ステップＳ１５において、記憶部３２４に記憶されているテレビジョン受像機４３の動作状態の情報を参照し、テレビジョン受像機４３の動作状態を認識する。すなわち、ステップＳ１５においては、多画面テレビジョン受像機１１において、アクティブ状態が設定されているテレビジョン受像機４３の動作状態が、基本状態、拡大状態、またはストロボ表示状態であるかが認識される。
【０１８６】
ステップＳ１６において、操作コマンド生成部３２２は、操作入力部３１２より操作信号と、テレビジョン受像機４３の動作状態とに応じて、コマンド生成処理を実行する。このコマンド生成処理は、図２４を参照して後述する。
【０１８７】
ステップＳ１６のコマンド生成処理により、操作入力部３１２より操作信号と、記憶部３２４に記憶されているアクティブ状態が設定されているテレビジョン受像機４３の動作状態に応じて、多画面テレビジョン受像機１１へのコマンドが生成され、フレーム生成部３１５に供給される。
【０１８８】
ステップＳ１７において、フレーム生成部３１５は、回転コマンド生成部３２１または操作コマンド生成部３２２からのコマンドにヘッダを付けて、送信フレームを生成し、生成した送信フレームを送信処理部３１６に供給する。
【０１８９】
ステップＳ１８において、送信処理部３１６は、フレーム生成部３１５からの送信フレームを、発光信号に変換し、発光部３１７を発光させる。
【０１９０】
この発光信号は、後述する図２５のステップＳ６１において、多画面テレビジョン受像機１１により受光され、コマンドとして処理される。
【０１９１】
一方、ステップＳ１４において、ユーザの操作が入力されていないと判定された場合、処理は、ステップＳ１９に進む。
【０１９２】
ステップＳ１９において、受信処理部３１９は、受光部３１８を制御して、多画面テレビジョン受像機１１の発光部２２−２が発光することにより、コマンドを送信してきたか否かを判定し、送信されてきていないと判定された場合、その処理は、ステップＳ１１に戻る。すなわち、リモートコントローラ１２が操作されること無く、コマンドの送信が指示されず、かつ、多画面テレビジョン受像機１１よりコマンドが送信されてきていないと判定された場合、ステップＳ１１，Ｓ１４，およびＳ１９の処理が繰り返される。
【０１９３】
ステップＳ１９において、多画面テレビジョン受像機１１の発光部２２−２よりコマンドが送信されてきたと判定された場合、受信処理部３１９は、受光部３１８を制御して、送信されてきた光信号に基づいて、コマンドを復元し、コマンド認識部３２３に供給する。
【０１９４】
ステップＳ２０において、コマンド認識部３２３は、受信処理部３１９からのコマンドに記録されているテレビジョン受像機１１の動作状態の情報を読み出し、記憶部３２４に記憶させる。
【０１９５】
ステップＳ２１において、点灯制御部３２５は、記憶部３２４に記憶されているテレビジョン受像機４３の動作状態の情報を参照し、現在の回転部２４の回転の状態とテレビジョン受像機４３の動作状態に応じて、対応する選択ボタン２５１に内蔵されたLED３１３を制御して、所定の照明を点灯させる。
【０１９６】
すなわち、例えば、回転部２４の側面２４１−２が本体部２３の前面２４２と平行であり、同じ方向を向いている状態２８２（図１９）であり、記憶部３２４には、テレビジョン受像機４３ｂ−２が、アクティブ状態であり、その動作状態が基本状態であることが記憶されている場合、回転部２４の側面２４１−２上の、テレビジョン受像機４３ｂ−２の位置に対応する選択ボタン２５１ｂ−２に内蔵されるLED３１３が発光している。
【０１９７】
ここで、テレビジョン受像機４３より送信されてくるコマンドにより、記憶部３２４に記憶されているテレビジョン受像機の動作状態の情報において、アクティブ状態であるテレビジョン受像機４３ｂ−２が、テレビジョン受像機４３ｂ−３に変更された場合、点灯制御部３２５は、回転部２４の側面２４１−２上の、テレビジョン受像機４３ｂ−３の位置に対応する選択ボタン２５１ｂ−３に内蔵されるLED３１３を発光させる。
【０１９８】
また、例えば、テレビジョン受像機４３より送信されてくるコマンドにより、記憶部３２４に記憶されているテレビジョン受像機の動作状態の情報において、動作状態が、拡大画面表示状態に変更された場合、点灯制御部３２５は、回転部２４の側面２４１−２上のすべてのテレビジョン受像機４３ａ−２乃至４３ｃ−２および４３ａ−３乃至４３ｃ−３の位置に対応する選択ボタン２５１ａ−２乃至２５１ｃ−２および２５１ａ−３乃至２５１ｃ−３に内蔵されるLED３１３を発光させることもできる。
【０１９９】
以上の処理により、リモートコントローラ１２の回転部２４の回転に応じて、多画面テレビジョン受像機１１への回転コマンドが送信される。
【０２００】
そして、詳しくは、図２５を参照して後述するが、この回転コマンドに応じて、多画面テレビジョン受像機１１においては、リモートコントローラ１２の回転部２４の回転後に、本体部２３の前面２４２と平行で、かつ同じ方向を向いている側面２４１に設けられる選択ボタン２５１に対応するテレビジョン受像機４３だけが正面を向くように回転が制御される。
【０２０１】
これにより、ユーザは、回転部２４の回転後に、本体部２３の前面２４２と平行で、かつ同じ方向を向いている側面２４１に設けられる選択ボタン２５１を見るだけで、多画面テレビジョン受像機１１において、正面方向を向いているテレビジョン受像機４３を認識することができる。したがって、ユーザは、正面方向を向いているテレビジョン受像機４３のうちのいずれかをアクティブ状態に設定し、正面方向を向いているテレビジョン受像機４３のディスプレイに表示されるチャンネルを楽しむことができる。
【０２０２】
さらに、このとき、リモートコントローラ１２の回転部２４の回転状態とともに、多画面テレビジョン受像機１１の動作状態に応じて、本体部２３の前面２４２と平行となった回転部２４の側面２４１の選択ボタン２５１に設けられるLED３１３の発光パターンが変更される。したがって、回転部２４の側面２４１に設けられる選択ボタン２５１を見るだけで、多画面テレビジョン受像機１１における各テレビジョン受像機４３の動作状態も認識することができる。
【０２０３】
次に、図２４のフローチャートを参照して、図２３のステップＳ１６のコマンド生成処理を説明する。
【０２０４】
ステップＳ４１において、操作コマンド生成部３２２は、操作入力部３１２からの操作信号に基づいて、動作状態を変更させるコマンドが入力されたか否かを判定する。
【０２０５】
動作状態は、例えば、デフォルトでは、基本状態であり、９個のテレビジョン受像機４３がそれぞれ異なるチャンネルを表示しており、デフォルトでアクティブ状態となっているテレビジョン受像機４３ａ−１の音声が出力されている状態となる。
【０２０６】
この基本状態から、例えば、拡大表示状態に遷移させる場合、回転部２４において、本体部２３の前面２４２と平行であり、かつ同じ方向を向いている側面２４１の選択ボタン２５１のいずれかと共に、本体部２３の前面２４２の機能ボタン２６２−２が同時に押下されるか、または、機能ボタン２６２−２のみが押下されると、状態が遷移し、押下された選択ボタン２５１に対応するチャンネル、または、アクティブ状態のテレビジョン受像機１１のチャンネルが、９個のテレビジョン受像機４３の全てにより拡大して表示される。
【０２０７】
なお、図２４の説明においては、これ以降、特に言及しない場合は、押下される選択ボタン２５１は、回転部２４において、本体部２３の前面２４２と平行な状態であり、かつ同じ方向を向いている側面２４１に設けられているものを表すとし、機能ボタン２６２は、本体部２３の前面２４２に設けられているものを表すとする。
【０２０８】
また、ストロボ表示状態から、拡大表示状態に遷移させる場合、機能ボタン２６２−２のみが押下されることにより動作状態がストロボ表示状態から、状態が遷移し、この場合、チャンネルは、それまでに選択されていた、すなわち、アクティブ状態に設定されているテレビジョン受像機４３のチャンネルとされる。
【０２０９】
また、基本状態からストロボ表示状態に遷移させる場合、選択ボタン２５１のいずれかと共に、機能ボタン２６２−３が同時に押下されると、状態が遷移され、押下された選択ボタン２５１に対応するチャンネルが、９個のテレビジョン受像機４３の全てにより所定時間だけ遅延されて順次表示される。
【０２１０】
さらに、拡大表示状態において、ストロボ表示状態に遷移させる場合、単に、機能ボタン２６２−３が押下されることにより動作状態が拡大表示状態から、状態が遷移され、チャンネルは、それまでに選択されていた、すなわち、アクティブ状態に設定されているテレビジョン受像機４３のチャンネルとされる。
【０２１１】
また、拡大表示状態、およびストロボ表示状態より基本状態に遷移させる場合、選択ボタン２５１のいずれかと共に、機能ボタン２６２−１が同時に押下されるか、または、機能ボタン２６２−１のみが押下されると、状態が遷移され、押下された選択ボタン２５１に対応するテレビジョン受像機４３のチャンネルか、または、それまでアクティブ状態のテレビジョン受像機４３のチャンネルのみの音声が出力される。
【０２１２】
さらに、基本状態において、選択ボタン２５１のうち、アクティブ状態ではないテレビジョン受像機４３に対応する選択ボタン２５１のいずれかのみが押下されると、基本状態に再度、状態が遷移され、その際、新たなテレビジョン受像機４３がアクティブ状態にされる。
【０２１３】
したがって、ステップＳ４１においては、いずれかの機能ボタン２６２のみが押下されるか、または、いずれかの選択ボタン２５１および機能ボタン２６２が同時に押下されたとき、動作状態を遷移させるコマンドが指示されたと判定し、ステップＳ４２において、操作コマンド生成部３２２は、動作状態を遷移させるコマンドを生成し、フレーム生成部３１５に供給する。
【０２１４】
ステップＳ４１において、動作状態を遷移させるコマンドが指示されていないと判定された場合、ステップＳ４３において、操作コマンド生成部３２２は、記憶部３２４に記憶されているテレビジョン受像機４３の動作状態の情報を参照し、現在の動作状態が基本状態であるか否かを判定する。
【０２１５】
ステップＳ４３において、現在の動作状態が基本状態であると判定された場合、すなわち、今現在の状態が基本状態であって、選択ボタン２５１のいずれかのみが押下されたと判定された場合、ステップＳ４４において、操作コマンド生成部３２２は、選択ボタン２５１のいずれか選択されたテレビジョン受像機４３をアクティブ状態に設定し、アクティブ状態のテレビジョン受像機４３のみの音声を出力させるコマンドを生成し、フレーム生成部３１５に供給する。
【０２１６】
ステップＳ４３において、基本状態ではないと判定された場合、ステップＳ４５において、操作コマンド生成部３２２は、記憶部３２４に記憶されているテレビジョン受像機４３の動作状態の情報を参照し、現在の動作状態が拡大表示状態であるか否かを判定する。
【０２１７】
ステップＳ４５において、現在の動作状態が拡大表示状態であると判定された場合、すなわち、今現在の状態が拡大表示状態であって、選択ボタン２５１のいずれかのみが押下されたと判定された場合、ステップＳ４６において、操作コマンド生成部３２２は、選択ボタン２５１のいずれか選択されたテレビジョン受像機４３で表示されている拡大画像を、９個のテレビジョン受像機４３の全体で拡大して表示するコマンドを生成し、フレーム生成部３１５に供給する。
【０２１８】
ステップＳ４５において、拡大表示状態ではないと判定された場合、すなわち、基本状態でも、拡大表示状態でもないので、現在の動作状態がストロボ表示状態であると判定されることになり、その処理は、ステップＳ４７に進む。
【０２１９】
ステップＳ４５において、現在の動作状態がストロボ表示状態であると判定された場合、すなわち、今現在の状態がストロボ表示状態であって、選択ボタン２５１のいずれかのみが押下されたと判定された場合、ステップＳ４７において、操作コマンド生成部３２２は、選択ボタン２５１に対応して遅延時間を変更してストロボ表示させるコマンドを生成し、フレーム生成部３１５に供給する。
【０２２０】
すなわち、ストロボ表示画像は、例えば、テレビジョン受像機４３ａ−１が最初に所定のチャンネルの静止画を表示すると、所定の時間だけ遅延したタイミングで、テレビジョン受像機４３ｂ−１が、所定のチャンネルにおける所定の時間だけ遅延したタイミングの静止画を表示し、テレビジョン受像機４３ｃ−１が、さらに所定のチャンネルにおける所定の時間だけ遅延したタイミングの静止画を表示するといった表示を、９個のテレビジョン受像機４３に対して順次実行し、テレビジョン受像機４３ｃ−３において、所定のチャンネルの静止画が表示された後、さらに所定の時間が経過すると、再びテレビジョン受像機４３ａ−１において、そのタイミングにおける静止画を表示するという処理を繰り返すものである。
【０２２１】
ここでは、例えば、選択ボタン２５１ａ−１が操作されたときは、次の静止画が表示されるまでの所定の時間を１秒とし、選択ボタン２５１ｂ−１が操作されたときは、次の静止画が表示されるまでの所定の時間を２秒とし、選択ボタン２５１ｃ−１が操作されたときは、次の静止画が表示されるまでの所定の時間を３秒とするといったように、選択ボタンに応じて、ストロボ表示の間隔を設定する。このようにすることで、ストロボ表示状態における表示タイミングを変更させる。
【０２２２】
以上の処理により、回転部２４において、本体部２３の前面２４２と平行であり、かつ同じ方向を向いている側面２４１に設けられている選択ボタン２５１による動作状態に応じて切り換えるといった操作をすることなく、同一の選択ボタン２５１を操作するだけで、動作状態に応じて、異なるコマンドを生成することが可能となり、結果として、動作状態に応じた操作ごとに操作ボタンを増やすといったことをすることなく、簡単な操作で、複数の機能を備えた多画面テレビジョン受像機を容易に操作することが可能となる。
【０２２３】
さらに、選択ボタン２５１は、回転部２４において、本体部２３の前面２４２と平行であり、かつ同じ方向を向いている側面２４１に設けられているもののみが選択することができる。すなわち、その側面２４１には、多画面テレビジョン受像機１１において正面を向いているテレビジョン受像機４３のみに対応するものしか設けられていないので、結果として、間違った選択ボタンを押すようなことがなく、簡単な操作で、複数の機能を備えた多画面テレビジョン受像機を容易に操作することが可能となる。
【０２２４】
次に、図２５のフローチャートを参照して、多画面テレビジョン受像機１１の制御処理について説明する。
【０２２５】
ステップＳ６１において、制御部２０１は、受光部２２−１よりリモートコントローラ１２の発光部３１７より発光された光信号により送信されてきたコマンドが受信されたか否かを判定し、受信されるまで、その処理が繰り返される。
【０２２６】
例えば、図２３を参照して説明したステップＳ１８の処理により、リモートコントローラ１２よりコマンドが送信されてきた場合、ステップＳ６１において、コマンドが受信されたと判定され、その処理は、ステップＳ６２に進む。
【０２２７】
ステップＳ６２において、制御部２０１は、送信されてきたコマンドが回転コマンドであるか否かを判定する。
【０２２８】
ステップＳ６２において、例えば、図２３のステップＳ１３の処理により生成された回転コマンドであった場合、ステップＳ６３において、制御部２０１は、対応するテレビジョン受像機４３を回転させる。
【０２２９】
すなわち、回転コマンドが、テレビジョン受像機４３ａ−１乃至４３ｃ−１（すなわち、マルチテレビジョンユニット２１−１）を回転させる回転コマンドであった場合、制御部２０１は、装着部モータ２０３−１を制御し、マルチディスプレイユニット２１−１を、１８０度回転させる。
【０２３０】
これに対応して、装着部モータ２０３−１は、マルチテレビジョンユニット２１−１のディスプレイ装着部４１ａに対して回転させる力を加え、ディスプレイ装着部４１ａを、図５を参照して上述したように、軸Ｐを中心として反時計回りに１８０度回転させる。これにより、テレビジョン受像機４３ａ−１乃至４３ｃ−１は、一体的に、正面（表）から背面（裏）に１８０度回転され、正面から、図１９を参照して上述したように、１８０度回転した後ろ向きの状態２８２となる。
【０２３１】
なお、この回転処理は、テレビジョン受像機４３ａ乃至４３ｃを、一体的に回転させることもできるが、回転コマンドに応じて、いずれかのテレビジョン受像機４３の１台のみを回転させることや、各マルチテレビジョンユニット２１が異なっていても、そのうちの複数台を回転させることもできる。
【０２３２】
この場合、制御部２０１は、対応するディスプレイ部モータ２０４を制御する。例えば、回転コマンドが、テレビジョン受像機４３ｂ−１のみを回転させる回転コマンドであった場合、制御部２０１は、ディスプレイ部モータ２０４ｂ−１を制御し、マルチディスプレイユニット２１−１においてテレビジョン受像機４３ｂ−１が取り付けられている中段ディスプレイ部４２ｂを、１８０度回転させる。
【０２３３】
これに対応して、ディスプレイ部モータ２０４ｂ−１は、マルチディスプレイユニット２１−１の上段ディスプレイ部４２ｂに対して、回転させる力を加え、上段ディスプレイ部４２ｂを、図６を参照して上述したように、軸Ｐを中心として反時計回りに１８０度回転させる。これにより、テレビジョン受像機４３ｂ−１は、正面（表）から背面（裏）に１８０度回転され、正面から、１８０度回転した後ろ向きの状態となる。
【０２３４】
一方、ステップＳ６２において、回転コマンドではないと判定された場合、処理は、ステップＳ６４に進む。
【０２３５】
ステップＳ６４において、制御部２０１は、送信されてきたコマンドを、すべてのテレビジョン受像機４３に供給する。これにより、各テレビジョン受像機４３においては、図２６を参照して後述する、リモートコントローラ１２からのコマンドを実行する処理を実行する。
【０２３６】
なお、ステップＳ６３またはＳ６４の処理が実行されると、処理は、ステップＳ６１に戻り、それ以降の処理が繰り返される。
【０２３７】
以上のように、リモートコントローラ１２から送信されてきたコマンドが回転コマンドであった場合、回転コマンドが対応するディスプレイ装着部４１ａや各ディスプレイ部４２は、装着部モータ２０３やディスプレイ部モータ２０４により、正面向きであれば、背面向きに、背面向きであれば正面向きに、１８０度回転される。
【０２３８】
これにより、多画面テレビジョン受像機１１においては、リモートコントローラ１２の回転部２４における、本体部２３の前面２４２と平行であり、かつ同じ方向を向いている側面２４１に設けられている選択部２５１に対応するテレビジョン受像機４３のみが正面向きに設定されるようになる。
【０２３９】
すなわち、回転部２４における側面２４１においては、多画面テレビジョン受像機１１において正面を向いているテレビジョン受像機４３のみに対応するものしか設けられていない（換言すると、多画面テレビジョン受像機１１において正面を向いているテレビジョン受像機４３のみしか、操作対象となっていない）ので、結果として、間違った選択ボタンを押すようなことがなく、簡単な操作で、複数の機能を備えた多画面テレビジョン受像機を容易に操作することが可能となる。
【０２４０】
次に、図２６のフローチャートを参照して、テレビジョン受像機４３の処理を説明する。
【０２４１】
ステップＳ８１において、受像機制御部２２１は、制御部２０１よりリモートコントローラ１２のコマンドが供給されたか否かを判定し、供給されるまで、その処理が繰り返される。
【０２４２】
例えば、図２５のステップＳ６４の処理により、制御部２０１よりコマンドが供給されると、ステップＳ８１において、コマンドが供給されたと判定され、その処理は、ステップＳ８２に進む。
【０２４３】
ステップＳ８２において、受像機制御部２２１は、供給されたコマンドが動作状態を遷移させるコマンドか否かを判定する。
【０２４４】
ステップＳ８２において、例えば、図２４のステップＳ４２の処理により生成された動作状態を遷移させるコマンドであった場合、ステップＳ８３において、受像機制御部２２１は、動作状態を遷移させると共に、遷移した動作状態を認識する。
【０２４５】
ステップＳ８２において、動作状態を遷移させるコマンドではないと判定された場合、すなわち、基本状態、拡大表示状態、またはストロボ表示状態のいずれかのコマンドであると判定し、処理は、ステップＳ８４に進む。
【０２４６】
ステップＳ８４において、受像機制御部２２１は、コマンドが示す動作状態に応じて、各動作状態のコマンド処理を実行する。
【０２４７】
すなわち、例えば、送信されてきたコマンドが、図２４のステップＳ４４の処理で生成されたコマンドであった場合、基本状態のコマンドであると判定され、ステップＳ８４において、基本状態コマンド処理が実行される。
【０２４８】
具体的には、受像機制御部２２１は、そのコマンドが、自らがアクティブであることを示すコマンドであるか否かを判定する。例えば、図２４のステップＳ４４の処理において、選択ボタン２５１ａ−２が操作される場合、対応するテレビジョン受像機４３ａ−２の受像機制御部２２１は、自らがアクティブであることを示すコマンドであると判定し、自らの状態をアクティブにして、自らのチューナ２２２を制御して、自らのチューナ２２２により受信される放送信号を画像処理部２２３および音声処理部２２６に供給する。
【０２４９】
画像処理部２２３は、放送信号から画像信号を生成し、画像信号に対応する画像を、テレビジョン受像機４３ａ−２のディスプレイ２２５に表示する。また、受像機制御部２２１は、音声処理部２２６を制御して、供給された放送信号から音声信号を生成させ、音声信号に対応する音声を、スピーカ２２７から出力させる。
【０２５０】
一方、例えば、図２４のステップＳ４４の処理において、選択ボタン２５１ａ−２が操作される場合、対応するテレビジョン受像機４３ａ−２を除くテレビジョン受像機４３の受像機制御部２２１は、自らがアクティブであることを示すコマンドではないと判定し、自らの状態を非アクティブにして、自らのチューナ２２２を制御して、自らのチューナ２２２により受信される放送信号を画像処理部２２３および音声処理部２２６に供給する。
【０２５１】
画像処理部２２３は、放送信号から画像信号を生成し、画像信号に対応する画像を、テレビジョン受像機４３ａ−２以外のテレビジョン受像機４３のディスプレイ２２５に表示する。また、受像機制御部２２１は、音声処理部２２６を制御して、供給された放送信号から音声信号の生成を停止させ、スピーカ２２７からの音声の出力を停止させる。
【０２５２】
以上の処理により、基本状態において、アクティブ状態に設定されたテレビジョン受像機１１の音声のみが出力されることになる。また、このとき、後述するコマンド送信処理で送信されるアクティブ状態となったテレビジョン受像機４３ａ−２からのコマンドによって、上述した図２３のフローチャートにおけるステップＳ３２の処理が行われ、選択ボタン２５１ａ−２に対応するLED３１３が発光することになるので、選択ボタン２５１ａ−２に対応するテレビジョン受像機２５１ａ−２がアクティブ状態であることを容易に認識させることが可能となる。
【０２５３】
また、例えば、送信されてきたコマンドが、図２４のステップＳ４６の処理で生成されたコマンドであった場合、拡大表示状態のコマンドであると判定され、ステップＳ８４において、拡大表示状態コマンド処理が実行される。
【０２５４】
具体的には、受像機制御部２２１は、自らがアクティブであることを示すコマンドであるか否かを判定する。例えば、図２４のステップＳ４６の処理において、選択ボタン２５１ａ−２が操作される場合、対応するテレビジョン受像機４３ａ−２以外のテレビジョ
ン受像機４３の受像機制御部２２１は、自らがアクティブではないことを示すコマンドであると判定し、チューナ２２２を制御して、チューナ２２２のチャンネルをアクティブ状態となっているテレビジョン受像機４３ａ−２のチャンネルに変更する。すなわち、この処理により、全てのテレビジョン受像機４３が、テレビジョン受像機４３ａ−２のチャンネルと同一のチャンネルに変更される。
【０２５５】
一方、自らがアクティブ状態である場合、対応するテレビジョン受像機４３ａ−２は、既に、自らのチャンネルに設定されているので、受像機制御部２２１は、画像処理部２２３を制御して、自らのテレビジョン受像機４３の多画面テレビジョン受像機１１における位置関係から、表示すべき画像の中心位置と拡大倍率を設定する。すなわち、例えば、テレビジョン受像機４３ｂ−２においては、多画面テレビジョン受像機１１における中心位置であるので、画像処理部２２３は、自らのディスプレイ２２５の中心位置の画像を３倍に拡大した画像を、中心位置に合わせて表示するように設定することになる。
【０２５６】
また、例えば、テレビジョン受像機４３ａ−３の位置は、多画面テレビジョン受像機１１における右上であるので、画像処理部２２３は、自らのディスプレイ２２５の右上の水平方向にも垂直方向にも１／３の範囲の画像を、それぞれ３倍に拡大した画像を、中心位置に合わせて表示するように設定することになる。
【０２５７】
画像処理部２２３は、チューナ２２２より供給された放送信号に基づいて、生成した画像信号のうち、それぞれの位置に対応した領域の画像を拡大して表示する。
【０２５８】
すなわち、以上の処理により、リモートコントローラ１２の選択ボタン２５１を特に拡大表示専用のモードに切り換えることなく、リモートコントローラ１２の選択ボタン２５１に対応する選択されたテレビジョン受像機４３の画像が、９個、全てのテレビジョン受像機４３を１枚のディスプレイとして拡大して表示することが可能となると共に、リモートコントローラ１２により容易に拡大する位置を選択することが可能となる。
【０２５９】
さらに、例えば、送信されてきたコマンドが、図２４のステップＳ４７の処理で生成されたコマンドであった場合、ストロボ表示状態のコマンドであると判定され、ステップＳ８４において、ストロボ表示状態コマンド処理が実行される。
【０２６０】
具体的には、受像機制御部２２１は、自らがアクティブであることを示すコマンドであるか否かを判定する。例えば、ステップＳ４７の処理において、選択ボタン２５１ａ−２が操作される場合、対応するテレビジョン受像機４３ａ−２以外のテレビジョン受像機４３の受像機制御部２２１は、自らがアクティブではないことを示すコマンドであると判定し、チューナ２２２を制御して、チューナ２２２のチャンネルをアクティブ状態となっているテレビジョン受像機４３ａ−２のチャンネルに変更する。すなわち、この処理により、全てのテレビジョン受像機１１が、テレビジョン受像機４３ａ−２のチャンネルと同一のチャンネルに変更される。
【０２６１】
一方、自らがアクティブ状態である場合、対応するテレビジョン受像機４３ａ−２は、既に、自らのチャンネルに設定されているので、受像機制御部２２１は、画像処理部２２３を制御して、選択ボタン２５１の位置に応じた、遅延時間を設定する。
【０２６２】
画像処理部２２３は、図示せぬ出力タイミング部からのタイミング信号に対応して、設定された遅延時間が経過したところで、画像信号対応するスチル画像を生成してディスプレイ２２５に表示する。
【０２６３】
すなわち、以上の処理により、リモートコントローラ１２の選択ボタン２５１を特にストロボ表示専用のモードに切り換えることなく、押下された選択ボタン２５１に対応して設定される遅延時間が経過した後、各テレビジョン受像機４３が順次スチル画像表示することで、ストロボ表示が可能となると共に、選択ボタン２５１を様々に変えることにより遅延時間を変化させて、ストロボ表示させることが可能となる。
【０２６４】
以上のように、リモートコントローラ１２からの回転コマンド以外のコマンドに応じた処理が、各テレビジョン受像機４３において実行される。そして、次に説明するコマンド送信処理が実行され、アクティブ状態であると判定したテレビジョン受像機４３から、リモートコントローラ１２に対して、動作状態を示すコマンドが送信される。
【０２６５】
次に、図２７のフローチャートを参照して、テレビジョン受像機４３によるリモートコントローラ１２へのコマンド送信処理について説明する。
【０２６６】
ステップＳ９１において、受像機制御部２２１は、動作状態が変化したか否かを判定し、通知されるまで、その処理を繰り返す。例えば、図２６のステップＳ８３の処理により、動作状態が変化された場合、ステップＳ９２において、受像機制御部２２１は、自らのテレビジョン受像機４３がアクティブであるか否かを判定し、アクティブではない場合、その処理は、ステップＳ９１に戻る。
【０２６７】
すなわち、動作状態が変化しない、またはアクティブ状態ではない場合、ステップＳ９１およびＳ９２の処理が繰り返される。例えば、動作状態が変化し、さらに、アクティブ状態であった場合、ステップＳ９３において、受像機制御部２２１は、今現在の動作状態を通知するコマンドを生成する。
【０２６８】
ステップＳ９４において、受像機制御部２２１は、生成した今現在のテレビジョン受像機４３の動作状態を示すコマンドを、制御部２０１に供給し、発光部１３を制御して、送信する。
【０２６９】
以上の処理により、今現在のテレビジョン受像機４３の動作状態を示すコマンドが、リモートコントローラ１２に送信される。これにより、上述した図２３のフローチャートにおけるステップＳ２０の処理で、リモートコントローラ１２において動作状態が記憶され、さらに、ステップＳ２１において、回転部２４の回転状態と、その動作状態の種類により、または、選択されたアクティブなテレビジョン受像機４３の位置により、対応する選択ボタン２５１のLED３１３を発光させることになる。
【０２７０】
また、この処理により、リモートコントローラ１２は、多画面テレビジョン受像機１１の動作状態を記憶することができ、結果として、この情報に基づいて、基本状態、拡大表示状態、またはストロボ表示状態のいずれかを認識することができるので、ユーザが、選択ボタン２５１の機能を、複数の動作状態に対応して切り換えるといった操作をすることなく、複数の動作状態に対応して切替えて操作が可能となり、操作ボタンを増やすことなく多画面テレビジョン受像機１１をリモートコントローラ１２で容易に操作することが可能となる。
【０２７１】
さらに、例えば、回転部２４の回転状態が、回転部２４の側面２４１−１が本体部２３の正面２４２と平行であり、かつ同じ方向を向いている状態で、かつ、アクティブなテレビジョン受像機４３ａ−３の位置により、回転部２４の側面２４１−１において、対応する選択ボタン２５１ａ−３のLED３１３が発光されている状態においては、多画面テレビジョン受像機１１の９個のテレビジョン受像機４３が正面を向いており、さらに、例えば、選択ボタン２５１ａ−３が対応するテレビジョン受像機４３ａ−３からの音声だけが出力されている（すなわち、アクティブなテレビジョン受像機４３ａ−３の動作状態が基本状態である）。
【０２７２】
このような状態のリモートコントローラ１２において、回転部２４の回転が検出され、図２８に示されるように、回転部２４の側面２４１−２が、本体部２３の正面２４２と平行であり、かつ同じ方向を向いた状態になる。
【０２７３】
このとき、多画面テレビジョン受像機１１においては、本体部２３の正面２４２と平行であり、かつ同じ方向を向いている回転部２４の側面２４１−２における選択ボタン２５１ａ−２乃至２５１ｃ−２，および２５１ａ−３乃至２５１ｃ−３に対応する位置に配置される多画面テレビジョン受像機１１のテレビジョン受像機４３ａ−２乃至４３ｃ−２，および４３ａ−３乃至４３ｃ−３だけが正面を向くように、テレビジョン受像機４３ａ−１乃至４３ｃ−１の回転が制御される。
【０２７４】
なお、アクティブなテレビジョン受像機４３は変更されないので、そのまま、テレビジョン受像機４３ａ−３からの音声だけが出力されている。
【０２７５】
そして、さらに、テレビジョン受像機４３の回転の制御とともに、リモートコントローラ１２においても、回転部２４の側面２４１−２が、本体部２３の正面２４２と平行であり、かつ同じ方向を向いた状態であるという回転部２４の回転状態と、アクティブなテレビジョン受像機４３ａ−３の位置により、回転部２４の側面２４１−２において、対応する選択ボタン２５１ａ−３のLED３１３が発光される。
【０２７６】
以上のように、多画面テレビジョン受像機１１におけるテレビジョン受像機４３が後ろ向きになり、正面を向くテレビジョン受像機４３の構成が変わったとしても、リモートコントローラ１２の回転部２４の側面２４１に設けられている選択ボタン２５１に対応する構成と同様に変わるようにしたので、ユーザは、選択ボタンの構成を見ることで、簡単にテレビジョン受像機の構成を認識することができる。
【０２７７】
さらに、リモートコントローラ１２の回転部２４が回転し、本体部２３の前面２４２と平行でかつ同じ方向を向く側面が変わっても、その側面の選択ボタンの発光を、回転状態および動作状態に応じて変更するようにしたので、各テレビジョン受像機４３の動作状態もわかるので、回転機構を有する多画面テレビジョン受像機１１の操作であっても、簡単に操作をすることができる。
【０２７８】
なお、上記説明においては、正三角柱で構成される回転部２４を用いて説明したが、その形状は、正三角柱に限定されることなく、単なる三角柱でもよいし、四角柱でも五画柱でも、それ以上の多角柱であってもよい。さらに、回転部２４を円柱で構成することも可能である。この場合、円柱の側面を区切り、区切った領域を多角形の場合の側面に相当させることで、多角形の場合と同様に構成することができる。
【０２７９】
また、上記説明においては、多画面テレビジョン受像機１１において、垂直方向に並ぶテレビジョン受像機４３ａ乃至４３ｃを一括で回転させるリモートコントローラ１２の例を説明したが、例えば、多画面テレビジョン受像機１１において、水平方向に並ぶテレビジョン受像機４３ａ−１乃至４３ａ−３を一括で回転させるように、リモートコントローラ１２を構成することもできる。
【０２８０】
図２９は、図１８のリモートコントローラの他の構成例を説明する図である。
【０２８１】
図２９の例のリモートコントローラ１２においては、本体部２３が備えられている点が、図１８のリモートコントローラと共通するが、回転部２４が回転部３５１に入れ替わっている点が異なる。
【０２８２】
回転部３５１は、図１８の回転部２４と同様に、本体部２３に対して回転可能に接続され、３つの側面３６１−１乃至３６１−３を有しているが、各側面３６１−１乃至３６１−３に設けられている選択ボタン２５１の構成が異なる。なお、図２９および図３０の図中下部には、側面３６１−１乃至３６１−３が拡大してそれぞれ示されている。
【０２８３】
すなわち、側面３６１−１には、側面２４１−１と同様に、多画面テレビジョン受像機１１における各テレビジョン受像機４３ａ−１乃至４３ｃ−１，４３ａ−２乃至４３ｃ−２，および４３ａ−３乃至４３ｃ−３の位置にそれぞれ対応して、９個の選択ボタン２５１ａ−１乃至２５１ｃ−１，２５１ａ−２乃至２５１ｃ−２，および２５１ａ−３乃至２５１ｃ−３が設けられている。
【０２８４】
側面３６１−２には、多画面テレビジョン受像機１１における各テレビジョン受像機４３ｂ−１および４３ｃ−１，４３ｂ−２および４３ｃ−２，並びに４３ｂ−３および４３ｃ−３の位置にそれぞれ対応して、６個の選択ボタン２５１ｂ−１および２５１ｃ−１，２５１ｂ−２および２５１ｃ−２，並びに２５１ｂ−３および２５１ｃ−３が設けられている。
【０２８５】
側面３６１−３（図３０）には、多画面テレビジョン受像機１１における各テレビジョン受像機４３ｂ−１乃至４３ｂ−３の位置にそれぞれ対応して、３個の選択ボタンおよび２５１ｂ−１乃至２５１ｂ−３が設けられている。
【０２８６】
例えば、図２９のリモートコントローラ１２においては、回転部３５１の側面３６１−１が本体部２３の前面２４２と平行であり、かつ、同じ方向を向いている状態が示されている。この状態においては、多画面テレビジョン受像機１１のすべてのテレビジョン受像機４３も、正面を向いている。
【０２８７】
ここで、図１９の場合と同様に、リモートコントローラ１２において、回転部３５１の側面３６１−１が本体部２３の前面２４２と平行であり、かつ同じ方向を向いている状態から、回転部３５１が、軸Ｑを中心に、矢印Ａ方向からみて本体部２３に対して反時計回りに回転された場合、本体部２３の面の凸部が、回転部３５１の底面の凹部に嵌り、回転部３５１の回転が停止し、図３０に示されるように、リモートコントローラ１２は、回転部３５１の側面３６１−２が、本体部２３の前面２４２と平行であり、かつ同じ方向を向いている状態となる。
【０２８８】
このとき、リモートコントローラ１２においては、回転部３５１の回転が検出されて、多画面テレビジョン受像機１１のテレビジョン受像機４３ａ−１乃至４３ａ−３の回転を指示する回転コマンドが、多画面テレビジョン受像機１１に対して送出される。
【０２８９】
これに対応して、図２９に示される状態の多画面テレビジョン受像機１１においては、テレビジョン受像機４３ａ−１乃至４３ａ−３が装着されている各上段ディスプレイ部４２ａが、図６の軸Ｐを中心として反時計回りにそれぞれ回転され、その結果、図３０に示されるように、テレビジョン受像機４３ａ−１乃至４３ａ−３は、正面から、１８０度回転した後ろ向きの状態となる。
【０２９０】
以上のように、多画面テレビジョン受像機１１において、水平方向に並ぶテレビジョン受像機４３ａ−１乃至４３ａ−３、４３ｂ−１乃至４３ｂ−３、または、４３ｃ−１乃至４３ｃ−３を一括で回転させるように、リモートコントローラ１２を構成することもできる。
【０２９１】
図３１は、図１８のリモートコントローラの他の構成例を説明する図である。
【０２９２】
図３１の例のリモートコントローラ１２においては、本体部２３が備えられている点が、図１８のリモートコントローラと共通するが、回転部２４が回転部３７１に入れ替わっている点が異なる。
【０２９３】
回転部３７１は、図１８の回転部２４と同様に、本体部２３に対して回転可能に接続され、３つの側面を有しているが、回転部２４と異なり、さらに、上段回転部３７１ａ，中段回転部３７１ｂ，下段回転部３７１ｃ，および全段回転部３７１ｄで分割されて構成されている。なお、図３１および図３２の図中下部および右側には、３つの側面が拡大してそれぞれ示されている。３つの側面のうち、図３１および図３２に示される回転部３７１において、表示されていない側面は、点線で表されている。
【０２９４】
上段回転部３７１ａは、ユーザの操作に応じて、多画面テレビジョン受像機１１における上段の各テレビジョン受像機４３ａ−１乃至４３ａ−３の回転を指示するためのものであり、３つの側面３８１ａ−１乃至３８１ａ−３を有している。上段回転部３７１ａは、底面の重心（中心）の軸Ｑを中心に、矢印Ａ方向からみて、中段回転部３７１ｂに対して反時計回りに回転可能に、中段回転部３７１ｂに接続されている。
【０２９５】
側面３８１ａ−１には、多画面テレビジョン受像機１１における各テレビジョン受像機４３ａ−１乃至４３ａ−３の位置にそれぞれ対応して、３個の選択ボタン２５１ａ−１乃至２５１ａ−３が設けられている。
【０２９６】
側面３８１ａ−２には、多画面テレビジョン受像機１１における各テレビジョン受像機４３ａ−２および４３ａ−３の位置にそれぞれ対応して、２個の選択ボタン２５１ａ−２および２５１ａ−３が設けられている。側面３８１ａ−３（点線）には、多画面テレビジョン受像機１１における各テレビジョン受像機４３ａ−３の位置に対応して、１個の選択ボタン２５１ａ−３が設けられている。
【０２９７】
中段回転部３７１ｂは、ユーザの操作に応じて、多画面テレビジョン受像機１１における中段の各テレビジョン受像機４３ｂ−１乃至４３ｂ−３の回転を指示するためのものであり、３つの側面３８１ｂ−１乃至３８１ｂ−３を有している。中段回転部３７１ｂは、底面の重心（中心）の軸Ｑを中心に、矢印Ａ方向からみて、上段回転部３７１ａおよび下段回転部３７１ｃに対して反時計回りに回転可能に、上段回転部３７１ａおよび中段回転部３７１ｂに接続されている。
【０２９８】
側面３８１ｂ−１には、多画面テレビジョン受像機１１における各テレビジョン受像機４３ｂ−１乃至４３ｂ−３の位置にそれぞれ対応して、３個の選択ボタン２５１ｂ−１乃至２５１ｂ−３が設けられている。
【０２９９】
側面３８１ｂ−２には、多画面テレビジョン受像機１１における各テレビジョン受像機４３ｂ−２および４３ｂ−３の位置にそれぞれ対応して、２個の選択ボタン２５１ｂ−２および２５１ｂ−３が設けられている。側面３８１ｂ−３（点線）には、多画面テレビジョン受像機１１における各テレビジョン受像機４３ｂ−３の位置に対応して、１個の選択ボタン２５１ｂ−３が設けられている。
【０３００】
下段回転部３７１ｃは、ユーザの操作に応じて、多画面テレビジョン受像機１１における下段の各テレビジョン受像機４３ｃ−１乃至４３ｃ−３の回転を指示するためのものであり、３つの側面３８１ｃ−１乃至３８１ｃ−３を有している。下段回転部３７１ｃは、底面の重心（中心）の軸Ｑを中心に、矢印Ａ方向からみて中段回転部３７１ｂおよび全段回転部３７１ｄに対して反時計回りに回転可能に、中段回転部３７１ｂおよび全段回転部３７１ｄに接続されている。
【０３０１】
側面３８１ｃ−１には、多画面テレビジョン受像機１１における各テレビジョン受像機４３ｃ−１乃至４３ｃ−３の位置にそれぞれ対応して、３個の選択ボタン２５１ｃ−１乃至２５１ｃ−３が設けられている。
【０３０２】
側面３８１ｃ−２には、多画面テレビジョン受像機１１における各テレビジョン受像機４３ｃ−２および４３ｃ−３の位置にそれぞれ対応して、２個の選択ボタン２５１ｃ−２および２５１ｃ−３が設けられている。側面３８１ｃ−３（点線）には、多画面テレビジョン受像機１１における各テレビジョン受像機４３ｃ−３の位置に対応して、１個の選択ボタン２５１ｃ−３が設けられている。
【０３０３】
全段回転部３７１ｄは、図１８の回転部２４と同様に、ユーザの操作に応じて、多画面テレビジョン受像機１１における上、中、下段の各テレビジョン受像機４３ａ乃至４３ｃの一体化した回転を指示するためのものであり、３つの側面３８１ｄ−１乃至３８１ｄ−３を有している。全段回転部３７１ｄは、底面の重心（中心）の軸Ｑを中心に、矢印Ａ方向からみて、下段回転部３７１ｃおよび操作部２３に対して反時計回りに回転可能に、操作部２３に接続されている。また、その側面３８１ｄ−１乃至３８１ｄ−３（側面３８１ｄ−３のみ点線）には、何も設けられていない。
【０３０４】
すなわち、リモートコントローラ１２の回転部３７１は、ユーザが、上段回転部３７１ａ，中段回転部３７１ｂ，下段回転部３７１ｃを個別に回転させることもできるし、全段回転部３７１ｄを回転させることで、上段回転部３７１ａ，中段回転部３７１ｂ，および下段回転部３７１ｃを一括して回転させることもできる。
【０３０５】
例えば、図３１のリモートコントローラ１２においては、上段回転部３７１ａの側面３８１ａ−１，中段回転部３７１ｂの側面３８１ｂ−１，下段回転部３７１ｃの側面３８１ｃ−１，および全段回転部３７１ｄの側面３８１ｄ−１が本体部２３の前面２４２と平行であり、かつ、同じ方向を向いている状態が示されている。この状態においては、多画面テレビジョン受像機１１のすべてのテレビジョン受像機４３も、正面を向いている。
【０３０６】
ここで、リモートコントローラ１２において、回転部３７１のうち、ハッチングされている中段回転部３７１ｂが、その側面３８１ｂ−１が、本体部２３の前面２４２と平行であり、かつ同じ方向を向いている状態から、軸Ｑを中心に、矢印Ａ方向からみて本体部２３（および他の回転部３７１）に対して反時計回りに回転され、中段回転部３７１ｂの側面３８１ｂ−２が、本体部２３の前面２４２と平行であり、かつ同じ方向を向いている状態になる。
【０３０７】
そしてさらに、その状態から、軸Ｑを中心に、矢印Ａ方向からみて中段回転部３７１ｂが本体部２３（および他の回転部３７１）に対して反時計回りに回転される。
【０３０８】
この場合、図３２に示されるように、リモートコントローラ１２は、中段回転部３７１ｂの側面３８１ｂ−３が、本体部２３の前面２４２と平行であり、かつ同じ方向を向いている状態となる。ただし、中段回転部３７１ｂ以外（上段回転部３７１ａ，下段回転部３７１ｃ，および全段回転部３７１ｄ）は、回転されないので、図３１の状態のまま、すなわち、側面３８１ａ−１、側面３８１ｃ−１、および側面３８１ｄ−１が本体部２３の前面２４２と平行であり、かつ同じ方向を向いている状態である。
【０３０９】
このとき、リモートコントローラ１２においては、中段回転部３７１ｂの回転が検出されて、多画面テレビジョン受像機１１のテレビジョン受像機４３ｂ−１および４３ｂ−２の回転を指示する回転コマンドが、多画面テレビジョン受像機１１に対して送出される。
【０３１０】
これに対応して、多画面テレビジョン受像機１１においては、テレビジョン受像機４３ｂ−１および４３ｂ−２が装着されている各中段ディスプレイ部４２ｂが、図６の軸Ｐを中心として反時計回りに回転され、その結果、図３２に示されるように、テレビジョン受像機４３ｂ−１および４３ｂ−２は、正面から、１８０度回転した後ろ向きの状態となる。
【０３１１】
以上のように、リモートコントローラ１２をさらに細かい単位で回転できるように構成することにより、多画面テレビジョン受像機１１におけるテレビジョン受像機４３をさらに細かい単位で回転させることができる。
【０３１２】
なお、いまの場合、中段回転部３７１ｂを、本体部２３の前面２４２と平行であり、かつ同じ方向を向く側面３８１ｂ−２を介して、側面３８１ｂ−３が本体部２３の前面２４２と平行であり、かつ同じ方向を向く状態まで回転させるようにしたが、本体部２３に対して各回転部３７１は、１度に１側面への回転しかできなく構成したり、上述したように、１度に２側面先への回転を可能に構成することもできる。
【０３１３】
また、上段回転部３７１ａおよび下段回転部３７１ｃの回転動作は、上述した中段回転部３７１ｂと同様の回転動作を行うので、その説明は繰り返しになるので省略する。さらに、全段回転部３７１ｄの場合、上述した図１８の回転部２４や図２９の回転部３５１の回転と同様に、回転部３７１をまとめて回転させるものであるので、その説明も繰り返しになるので省略する。
【０３１４】
図３３は、図１８のリモートコントローラの他の構成例を説明する図である。
【０３１５】
図３３の例のリモートコントローラ１２においては、本体部２３が備えられている点が、図１８のリモートコントローラと共通するが、回転部２４が回転部４０１に入れ替わっている点が異なる。
【０３１６】
回転部４０１は、図１８の回転部２４と同様に、本体部２３に対して回転可能に接続されているが、その形状は、異なり、本体部２３と同様に、薄型の直方体で構成されている。回転部４０１の前面４０２には、LCD（Liquid Crystal Display）４１１と、LCD４１１の上に積層されるタッチパネル４１２（図３４）が設けられている。
【０３１７】
図３３の例の場合、LCD４１１には、タッチパネル４１２とともに、図１８の選択ボタン２５１ａ−１乃至２５１ｃ−１，２５１ａ−２乃至２５１ｃ−２，および２５１ａ−３乃至２５１ｃ−３に相当する機能を有する、９個の選択ボタンアイコン（小画像）４２１ａ−１乃至４２１ｃ−１，４２１ａ−２乃至４２１ｃ−２，および４２１ａ−３乃至４２１ｃ−３が、多画面テレビジョン受像機１１における各テレビジョン受像機４３ａ−１乃至４３ｃ−１，４３ａ−２乃至４３ｃ−２，および４３ａ−３乃至４３ｃ−３の位置にそれぞれ対応して表示されている。
【０３１８】
また、図３３の例においては、ユーザのタッチパネル４１２の操作に基づき、そのうちの選択ボタンアイコン４２１ａ−２が選択されたことで、図２７を参照して上述したように、テレビジョン受像機４３ａ−２から送信されてくるコマンドにより、選択ボタンアイコン４２１ａ−２が点滅している。
【０３１９】
なお、以下、選択ボタンアイコン４２１ａ−１乃至４２１ｃ−１，４２１ａ−２乃至４２１ｃ−２，および４２１ａ−３乃至４２１ｃ−３を個々に区別する必要がない場合、単に選択ボタンアイコン４２１と称する。
【０３２０】
また、回転部４０１は、図１８の回転部２４と同様に、底面の重心（中心）の軸Ｒを中心に、矢印Ａ方向からみて本体部２３に対して反時計回りに回転可能に、本体部２３に保持された保持筒（図示せぬ）を介して、本体部２３に接続されている。また、その接続部分には、回転部４０１の前面４０２が、本体部２３の前面２４２と平行で、かつ、同じ方向を向いた状態で停止するような機構も設けられている。
【０３２１】
なお、回転部４０１の場合も、反時計周りに回転可能する例を説明するが、回転部４０１は、底面の重心（中心）の軸Ｒを中心に、矢印Ａ方向からみて本体部２３に対して時計回りに回転可能に構成することもできるし、反時計回りおよび時計回りの両方の回転が可能にも構成することができる。
【０３２２】
例えば、図３４の例においては、リモートコントローラ１２の回転部４０１の前面４０２が、本体部２３の前面２４２と平行であり、かつ、同じ方向を向いており、回転部４０１のLCD４１１に、９個の選択ボタンアイコン４２１が表示されている状態４３１が示されている。
【０３２３】
この状態４３１においては、図１９の状態２８１の場合と同様に、多画面テレビジョン受像機１１のすべてのテレビジョン受像機４３も正面を向いている。
【０３２４】
この状態４３１から、リモートコントローラ１２において、軸Ｒを中心に、矢印Ａ方向からみて回転部２４が本体部２３に対して反時計回りに１回転され、再度、回転部２４の前面４０２が、本体部２３の前面２４２と平行であり、かつ、同じ方向を向いたとき、回転部４０１のLCD４１１には、多画面テレビジョン受像機１１における各テレビジョン受像機４３ａ−２乃至４３ｃ−２，および４３ａ−３乃至４３ｃ−３の位置に対応する、６個の選択ボタンアイコン４２１ａ−２乃至４２１ｃ−２，および４２１ａ−３乃至４２１ｃ−３のみが表示される状態４３２となる。
【０３２５】
このとき、リモートコントローラ１２においては、回転部４０１の１回転が検出されて、多画面テレビジョン受像機１１のマルチテレビジョンユニット２１−１の回転を指示する回転コマンドが、多画面テレビジョン受像機１１に対して送出される。
【０３２６】
これに対応して、すべてのテレビジョン受像機４３が正面を向いている状態である多画面テレビジョン受像機１１においては、テレビジョン受像機４３ａ−１乃至４３ｃ−１が装着されているディスプレイ装着部４１ａが、図５の軸Ｐを中心として反時計回りに回転され、その結果、図１９の例の場合と同様に、テレビジョン受像機４３ａ−１乃至４３ｃ−１が、正面から、１８０度回転した後ろ向きの状態２８２となる。
【０３２７】
すなわち、多画面テレビジョン受像機１１においては、リモートコントローラ１２の回転部４０１が回転され、本体部２３の前面２４２と平行で、かつ同じ方向を向いている状態となった前面４０２のLCD４１１に表示される６個の選択ボタンアイコン４２１ａ−２乃至４２１ｃ−２，および４２１ａ−３乃至４２１ｃ−３が対応するテレビジョン受像機４３ａ−２乃至４３ｃ−２、および４３ａ−３乃至４３ｃ−３のみが正面を向いている状態４３２となる。
【０３２８】
これにより、多画面テレビジョン受像機１１において正面を向いているテレビジョン受像機４３ａ−２乃至４３ｃ−２、および４３ａ−３乃至４３ｃ−３と、リモートコントローラ１２の回転部４０１の前面４０２のLCD４１１に表示される６個の選択ボタンアイコン４２１ａ−２乃至４２１ｃ−２，および４２１ａ−３乃至４２１ｃ−３が対応するテレビジョン受像機４３が一致する。
【０３２９】
なお、リモートコントローラ１２の回転部４０１がさらに１回転された場合には、回転部４０１の前面４０２のLCD４１１には、多画面テレビジョン受像機１１における各テレビジョン受像機４３ａ−３乃至４３ｃ−３の位置に対応する、３個の選択ボタンアイコン４４２１ａ−３乃至４２１ｃ−３のみが表示される状態４３３となる。その後、さらに、リモートコントローラ１２の回転部４０１が１回転された場合には、回転部４０１の前面４０２のLCD４１１の表示は、９個の選択ボタンアイコン４２１が表示される状態４３１に戻る。
【０３３０】
そして、リモートコントローラ１２の、これらの状態４３３および状態４３１への遷移に対応する多画面テレビジョン受像機１１におけるテレビジョン受像機４３の回転については、図２０および図２１を参照して上述した、図１８のリモートコントローラ１２の場合と同様の処理が行われる。
【０３３１】
図３５は、図３３のリモートコントローラの電気的な内部構成例を示すブロック図である。
【０３３２】
なお、図３５の例のリモートコントローラ１２において、回転検出部３１１、操作入力部３１２、フレーム生成部３１５、送信処理部３１６、発光部３１７、受光部３１８、および受信処理部３１９が備えられている点は、図２２のリモートコントローラ１２と共通するが、LCD４１１およびタッチパネル４１２が追加された点、LED３１３が除かれた点、制御部３１４が制御部４４１に入れ替わった点が異なっている。
【０３３３】
また、この制御部４４１において、回転コマンド生成部３２１、操作コマンド生成部３２２、コマンド認識部３２３、および記憶部３２４が構成されていることは、図２２の制御部３１４と共通しているが、点灯制御部３２５が表示制御部４５１に入れ替わった点が異なっている。
【０３３４】
図３５の例の場合、操作入力部３１２は、例えば、感圧センサなどにより構成されており、本体部２３の前面２４２に設けられる各ボタンなどに内蔵され、ユーザによるボタンの押下に応じた操作信号を、操作コマンド生成部３２２に供給する。
【０３３５】
タッチパネル４１２は、LCD４１１に表示される選択ボタンアイコン４２１を選択するために、ユーザの指やペンなどにより接触される位置を検出し、その位置に対応する操作信号（すなわち、どの選択ボタンアイコン４２１が選択されたかを示す操作信号）を、操作コマンド生成部３２２に供給する。
【０３３６】
なお、図３５の例において、LCD４１１とタッチパネル４１２は、別の位置に示されているが、実際には積層して配置されている。
【０３３７】
操作コマンド生成部３２２は、操作入力部３１２またはタッチパネル４１２からの操作信号に応じて、記憶部３２４に記憶されるテレビジョン受像機４３の動作状態の情報を参照し、対応するテレビジョン受像機４３への指令を表す操作コマンドを生成し、生成された操作コマンドを、フレーム生成部３１５に供給する。
【０３３８】
表示制御部４５１は、回転コマンド生成部３２１からの現在の回転部４０１の回転状態の情報、および記憶部３２４に記憶されているテレビジョン受像機４３の動作状態の情報を参照し、回転部４０１の回転状態に応じて、対応する選択ボタンアイコン４２１が配置される操作画面を生成したり、テレビジョン受像機４３の動作状態に応じて、対応する選択ボタンアイコン４２１が点滅する操作画面を生成し、生成した操作画面をLCD４１１に表示させる。
【０３３９】
なお、アクティブな状態を表す場合の選択ボタンアイコンを、点滅させるように説明したが、他の選択ボタンアイコンとは色を変えるなどして目立つように表示させることもできる。
【０３４０】
次に、図３６のフローチャートを参照して、図３３のリモートコントローラ１２の制御処理について説明する。なお、図３３の例のステップＳ１１１，Ｓ１１３乃至Ｓ１２０は、図２３のステップＳ１１，１３乃至Ｓ２０と基本的に同様の処理を行うため、その詳細な説明は適宜省略する。
【０３４１】
ステップＳ１１１において、回転検出部３１１は、回転部４０１の回転を検出するまで待機している。
【０３４２】
例えば、リモートコントローラ１２の回転部４０１において、本体部２３の前面２４２と平行であり、かつ、同じ方向を向いている位置にある前面４０２のLCD４１１に、９個の選択ボタンアイコン４２１が表示されている状態４３１（図３４）から、ユーザの操作により、矢印Ａ方向からみて軸Ｒを中心に、回転部４０１が本体部２３に対して反時計回りに１回転され、再度、回転部４０１の前面４０２が、本体部２３の前面２４２と平行であり、かつ、同じ方向を向く状態となる。
【０３４３】
これに対応して、回転検出部３１１は、ステップＳ１１１において、回転部４０１の回転を検出したと判定し、検出結果を、回転コマンド生成部３２１に供給し、処理は、ステップＳ１１２に進む。
【０３４４】
このとき、回転コマンド生成部３２１は、回転部４０１の回転状態を記憶しており、回転検出部３１１からの検出結果が入力されると、現在の回転部４０１の回転状態を更新するとともに、その情報を、表示制御部４５１に供給する。
【０３４５】
ステップＳ１１２において、表示制御部４５１は、回転コマンド生成部３２１からの現在の回転部４０１の回転状態の情報と、記憶部３２４に記憶されているテレビジョン受像機４３の動作状態の情報を参照し、回転部４０１の回転状態とテレビジョン受像機４３の動作状態に応じて、所定の選択ボタンアイコン４２１が配置される操作画面を生成し、生成した操作画面をLCD４１１に表示させる。
【０３４６】
具体的には、多画面テレビジョン受像機１１において、コマンドを送信してくるのは、アクティブ状態であるテレビジョン受像機４３であるので、記憶部３２４には、アクティブ状態であるテレビジョン受像機４３の情報と、そのアクティブ状態であるテレビジョン受像機４３の動作状態の情報が記憶されている。
【０３４７】
例えば、本体部２３の前面２４２と平行であり、かつ同じ方向を向いている回転部４０１においては、前面４０２のLCD４１１に、９個のテレビジョン受像機４３に対応する選択ボタンアイコン４２１が表示されている状態４３１（図３４）であり、記憶部３２４には、アクティブ状態であるテレビジョン受像機４３ｂ−２の動作状態が基本状態であることが記憶されている。
【０３４８】
この場合、LCD４１１に表示される９個の選択ボタンアイコン４２１のうち、テレビジョン受像機４３ｂ−２の位置に対応する選択ボタンアイコン４２１ｂ−２だけが点滅して表示されている。
【０３４９】
ここで、回転検出部３１１により、回転が検出され、回転コマンド生成部３２１からの現在の回転部４０１の回転状態の情報が供給されると、表示制御部４５１は、回転コマンド生成部３２１からの回転状態の情報に応じて、６個のテレビジョン受像機４３ｂ−２および４３ｃ−２，４３ｂ−３および４３ｃ−３に対応する選択ボタンアイコン４２１ｂ−２および４２１ｃ−２，４２１ｂ−３および４２１ｃ−３のみが配置される操作画面を生成し、生成した操作画面を、回転部４０１の前面４０２のLCD４１１に表示させる。
【０３５０】
これにより、回転部４０１の前面４０２のLCD４１１の表示は、６個のテレビジョン受像機４３に対応する選択ボタンアイコン４２１が表示されている状態４３２となる。
【０３５１】
このとき、さらに、表示制御部４５１は、回転部４０１のLCD４１１に点滅表示されていた選択ボタンアイコン４２１ｂ−２と、テレビジョン受像機４３ｂ−２がアクティブ状態あり、動作状態が基本状態であることに応じて、生成した操作画面を構成する選択ボタンアイコン４２１のうち、選択ボタンアイコン４２１ｂ−２をそのまま点滅表示させるように操作画面を生成し、生成した操作画面を、回転部４０１の前面４０２のLCD４１１に表示させる。
【０３５２】
回転部４０１の回転状態の情報を、表示制御部４５１に供給すると、回転コマンド生成部３２１は、ステップＳ１１３において、多画面テレビジョン受像機１１のテレビジョン受像機４３を回転させる回転コマンドを生成し、生成した回転コマンドを、フレーム生成部３１５に供給する。
【０３５３】
すなわち、回転コマンド生成部３２１は、現在の回転部４０１の回転状態（例えば、回転部４０１の前面４０２のLCD４１１に６個のテレビジョン受像機４３に対応する選択ボタンアイコン４２１が表示されている状態４３２）に基づいて、例えば、図１９を上述して参照したように、マルチテレビジョンユニット２１−１を回転させる回転コマンドを生成する。
【０３５４】
一方、ステップＳ１１１において、回転を検出していないと判定された場合、処理は、ステップＳ１１４に進む。
【０３５５】
ステップＳ１１４において、操作入力部３１２は、ユーザの操作が入力されたか否かを判定し、ユーザの操作が入力されたと判定した場合、ユーザの操作に応じた操作信号を操作コマンド生成部３２２に供給する。
【０３５６】
操作コマンド生成部３２２は、操作入力部３１２より操作信号が入力されると、ステップＳ１１５において、記憶部３２４に記憶されているテレビジョン受像機４３の動作状態の情報を参照し、テレビジョン受像機４３の動作状態を認識する。すなわち、ステップＳ１１５においては、多画面テレビジョン受像機１１において、アクティブ状態が設定されているテレビジョン受像機４３の動作状態が、基本状態、拡大状態、またはストロボ表示状態であるかが認識される。
【０３５７】
ステップＳ１１６において、操作コマンド生成部３２２は、操作入力部３１２より操作信号と、テレビジョン受像機４３の動作状態とに応じて、コマンド生成処理を実行する。このコマンド生成処理は、図２４を参照して上述した処理と同様の処理を行うので、この説明は省略される。
【０３５８】
ステップＳ１１６のコマンド生成処理により、記憶部３２４に記憶されているアクティブ状態が設定されているテレビジョン受像機４３の動作状態に応じて、多画面テレビジョン受像機１１へのコマンドが生成され、フレーム生成部３１５に供給される。
【０３５９】
ステップＳ１１７において、フレーム生成部３１５は、回転コマンド生成部３２１または操作コマンド生成部３２２からのコマンドにヘッダを付けて、送信フレームを生成し、生成した送信フレームを送信処理部３１６に供給する。
【０３６０】
ステップＳ１１８において、送信処理部３１６は、フレーム生成部３１５からの送信フレームを、発光信号に変換し、発光部３１７を発光させる。
【０３６１】
この発光信号は、上述して説明した図２５のステップＳ６１において、多画面テレビジョン受像機１１により受光され、コマンドとして受信される。
【０３６２】
また、ステップＳ１１４において、ユーザの操作が入力されていないと判定された場合、処理は、ステップＳ１１９に進む。
【０３６３】
ステップＳ１１９において、受信処理部３１９は、受光部３１８を制御して、多画面テレビジョン受像機１１の発光部２２−２が発光することにより、コマンドを送信してきたか否かを判定し、送信されてきていないと判定された場合、その処理は、ステップＳ１１１に戻る。すなわち、リモートコントローラ１２が操作されること無く、コマンドの送信が指示されず、かつ、多画面テレビジョン受像機１１よりコマンドが送信されてきていないと判定された場合、ステップＳ１１１，Ｓ１１４，およびＳ１１９の処理が繰り返される。
【０３６４】
ステップＳ１１９において、多画面テレビジョン受像機１１の発光部２２−２よりコマンドが送信されてきたと判定された場合、受信処理部３１９は、受光部３１８を制御して、送信されてきた光信号に基づいて、コマンドを復元し、コマンド認識部３２３に供給する。
【０３６５】
ステップＳ１２０において、コマンド認識部３２３は、受信処理部３１９からのコマンドに記録されているテレビジョン受像機１１の動作状態の情報を読み出し、記憶部３２４に記憶させる。
【０３６６】
ステップＳ１２１において、表示制御部４５１は、記憶部３２４に記憶されているテレビジョン受像機４３の動作状態の情報を参照し、現在の回転部２４の回転の状態とテレビジョン受像機４３の動作状態に応じて、LCD４１１に表示させる操作画面を生成し、生成した操作画面を、LCD４１１に表示させる。
【０３６７】
すなわち、例えば、回転部４０１のLCD４１１に、６つの選択ボタンアイコン４２１が配置される操作画面が表示されている状態３４２（図３４）であり、記憶部３２４には、テレビジョン受像機４３ｂ−２が、アクティブ状態であり、その動作状態が基本状態であることが記憶されている場合、操作画面に配置されている選択ボタンアイコン４２１のうち、テレビジョン受像機４３ｂ−２の位置に対応する選択ボタンアイコン４２１ｂ−２のみが点滅して表示されている。
【０３６８】
ここで、テレビジョン受像機４３より送信されてくるコマンドにより、記憶部３２４に記憶されているテレビジョン受像機の動作状態の情報において、アクティブ状態であるテレビジョン受像機４３ｂ−２が、テレビジョン受像機４３ｂ−３に変更された場合、表示制御部４５１は、LCD４１１に、操作画面に配置されている選択ボタンアイコン４２１のうち、テレビジョン受像機４３ｂ−３の位置に対応する選択ボタンアイコン４２１ｂ−３のみを点滅させるように表示させる。
【０３６９】
以上の処理により、リモートコントローラ１２の回転部の回転に応じて、多画面テレビジョン受像機１１への回転コマンドが送信される。
【０３７０】
そして、この回転コマンドに応じて、多画面テレビジョン受像機１１においては、図２５を参照して上述したように、リモートコントローラ１２の回転部４０１の回転後に、回転部４０１の前面４０２のLCD４１１に表示されている選択ボタンアイコン４２１に対応するテレビジョン受像機４３だけが正面を向くように回転が制御される。
【０３７１】
これにより、ユーザは、回転部４０１の回転後に、本体部２３の前面２４２と平行で、かつ同じ方向を向いている前面４０２のLCD４１１に表示されている選択ボタンアイコン４２１を見るだけで、多画面テレビジョン受像機１１において、正面方向を向いている（すなわち、操作対象となる）テレビジョン受像機４３を認識することができる。
【０３７２】
したがって、ユーザが、間違えて、後ろを向いているテレビジョン受像機４３をアクティブ状態に設定することが抑制される。
【０３７３】
さらに、このとき、リモートコントローラ１２の回転部４０１の回転状態とともに、多画面テレビジョン受像機１１の動作状態に応じて、回転部４０１の前面４０２のLCD４１１に表示されている選択ボタンアイコン４２１が点滅される。
【０３７４】
したがって、回転部４０１の前面４０２のLCD４１１に表示される選択ボタンアイコン４２１を見るだけで、多画面テレビジョン受像機１１における各テレビジョン受像機４３の動作状態も認識することができる。
【０３７５】
以上によれば、多画面テレビジョン受像機をリモートコントローラにより容易に操作することが可能となる。
【０３７６】
なお、上記説明においては、チューナおよびディスプレイを備えた複数のテレビジョン受像機で構成される多画面テレビジョン受像機を用いて説明したが、発明は、テレビジョン受像機に限定されず、チューナを持たないディスプレイ装置で構成される多画面ディスプレイ装置にも適用される。
【０３７７】
上述した一連の処理は、ハードウェアにより実行させることもできるし、ソフトウエアにより実行させることもできる。一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３７８】
図３７は、図１の多画面テレビジョン受像機１１，テレビジョン受像機４３およびリモートコントローラ１２の電気的な内部構成をソフトウエアにより実現する場合のパーソナルコンピュータの一実施の形態の構成を示している。
【０３７９】
パーソナルコンピュータのCPU５０１は、パーソナルコンピュータの全体の動作を制御する。また、CPU５０１は、バス５０４および入出力インタフェース５０５を介してユーザからキーボードやマウスなどからなる入力部５０６から指令が入力されると、それに対応してROM(Read Only Memory)５０２に格納されているプログラムを実行する。あるいはまた、CPU５０１は、ドライブ５１０に接続された磁気ディスク、光ディスク、光磁気ディスク、または半導体メモリを含むリムーバルメディア５２１から読み出され、記憶部５０８にインストールされたプログラムを、RAM(Random Access Memory)５０３にロードして実行する。これにより、上述した制御機能が、ソフトウエアにより実現される。さらに、CPU５０１は、通信部５０９を制御して、外部と通信し、データの授受を実行する。
【０３８０】
コンピュータにインストールされ、コンピュータによって実行可能な状態とされるプログラムを格納する記録媒体は、図３７に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア５１１、または、プログラムが一時的もしくは永続的に格納されるROM５０２や、記憶部５０８を構成するハードディスクなどにより構成される。記録媒体へのプログラムの格納は、必要に応じてルータ、モデムなどのインタフェースである通信部５０９を介して、ローカルエリアネットワーク、インターネット、デジタル衛星放送といった、有線または無線の通信媒体を利用して行われる。
【０３８１】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０３８２】
また、本発明の実施の形態は、上述した実施の形態に限定されるものではなく、本発明の要旨を逸脱しない範囲において種々の変更が可能である。
【０３８３】
さらに、本明細書において、システムとは、複数の装置により構成される装置全体を表すものである。
【図面の簡単な説明】
【０３８４】
【図１】従来のマルチテレビシステムの一例を示す図である。
【図２】本発明を適用した多画面テレビジョン受像機リモートコントロールシステムの一実施の形態の構成を示す図である。
【図３】図２のマルチテレビユニットの斜視図である。
【図４】図３のマルチテレビユニットの動作を説明する図である。
【図５】図３のマルチテレビユニットの動作を説明する図である。
【図６】図３のマルチテレビユニットの動作を説明する図である。
【図７】図３のマルチテレビユニットの背面側の構成を説明する図である。
【図８】図７のケーブルを説明する図である。
【図９】図７の分配器を説明する図である。
【図１０】ｎ大のマルチテレビユニット２１−１乃至２１−ｎが並べて配置された場合のケーブル１１１の接続例を説明する図である。
【図１１】ディスプレイ装着部の回転を説明する図である。
【図１２】ディスプレイ装着部の回転を説明する図である。
【図１３】ディスプレイ装着部の回転を説明する図である。
【図１４】中段ディスプレイ部の回転を説明する図である。
【図１５】中段ディスプレイ部の回転を説明する図である。
【図１６】図２の多画面テレビジョン受像機の電気的な内部構成例を示すブロック図である。
【図１７】図２のテレビジョン受像機４３の電気的な内部構成例を示すブロック図である。
【図１８】図２のリモートコントローラの外観の構成例を示す斜視図である。
【図１９】リモートコントローラの回転と連動した多画面テレビジョン受像機の回転を説明する図である。
【図２０】リモートコントローラの回転と連動した多画面テレビジョン受像機の回転を説明する図である。
【図２１】リモートコントローラの回転と連動した多画面テレビジョン受像機の回転を説明する図である。
【図２２】図１８のリモートコントローラの電気的な内部構成例を示すブロック図である。
【図２３】図１８のリモートコントローラの制御処理を説明するフローチャートである。
【図２４】図２３のステップＳ１６のコマンド生成処理を説明するフローチャートである。
【図２５】図２の多画面テレビジョン受像機の制御処理を説明するフローチャートである。
【図２６】図２のテレビジョン受像機の処理を説明するフローチャートである。
【図２７】図２のテレビジョン受像機のコマンド送信処理を説明するフローチャートである。
【図２８】リモートコントローラの回転と連動した多画面テレビジョン受像機の回転を説明する図である。
【図２９】図１８のリモートコントローラの他の外観の構成例を説明する図である。
【図３０】図２９のリモートコントローラの回転と連動した多画面テレビジョン受像機の回転を説明する図である。
【図３１】図１８のリモートコントローラのさらに他の外観の構成例を説明する図である。
【図３２】図３１のリモートコントローラの回転と連動した多画面テレビジョン受像機の回転を説明する図である
【図３３】図１８のリモートコントローラの他の外観の構成例を説明する図である。
【図３４】図３３のリモートコントローラの回転に応じた表示の遷移を説明する図である。
【図３５】図３３のリモートコントローラの電気的な内部構成例を示すブロック図である。
【図３６】図３３のリモートコントローラの制御処理を説明するフローチャートである。
【図３７】本発明を適用するパーソナルコンピュータの構成例を示すブロック図である。
【符号の説明】
【０３８５】
１１  多画面テレビジョン受像機，  １２  リモートコントローラ，  ２１  マルチテレビユニット，  ２２−１  受光部，  ２２−２  発光部，  ２３  本体部，  ２４  回転部，  ４１ａ  ディスプレイ装着部，  ４２ａ  上段ディスプレイ部，  ４２ｂ  中段ディスプレイ部，  ４２ｃ  下段ディスプレイ部，  ４３ａ乃至４３ｃ  ディスプレイ，  ２０１  制御部，  ２０２  回転制御部，  ２０３  装着部モータ，  ２０４ａ乃至２０４ｃ  ディスプレイ部モータ，  ２２１  受信機制御部，  ２４１  側面，  ２４２  前面，  ２５１ａ乃至２５１ｃ  選択ボタン，  ３１１  回転検出部，  ３１２  操作入力部，  ３１３  ＬＥＤ，  ３１４  制御部，  ３１７  発光部，  ３１８  受光部，  ３２１  回転コマンド生成部，  ３２２  操作コマンド生成部，  ３２３  コマンド認識部，  ３２４  記憶部，  ３２５  点灯制御部
【図１】
2007150430.tif 000003
【図２】
2007150430.tif 000004
【図３】
2007150430.tif 000005
【図４】
2007150430.tif 000006
【図５】
2007150430.tif 000007
【図６】
2007150430.tif 000008
【図７】
2007150430.tif 000009
【図８】
2007150430.tif 000010
【図９】
2007150430.tif 000011
【図１０】
2007150430.tif 000012
【図１１】
2007150430.tif 000013
【図１２】
2007150430.tif 000014
【図１３】
2007150430.tif 000015
【図１４】
2007150430.tif 000016
【図１５】
2007150430.tif 000017
【図１６】
2007150430.tif 000018
【図１７】
2007150430.tif 000019
【図１８】
2007150430.tif 000020
【図１９】
2007150430.tif 000021
【図２０】
2007150430.tif 000022
【図２１】
2007150430.tif 000023
【図２２】
2007150430.tif 000024
【図２３】
2007150430.tif 000025
【図２４】
2007150430.tif 000026
【図２５】
2007150430.tif 000027
【図２６】
2007150430.tif 000028
【図２７】
2007150430.tif 000029
【図２８】
2007150430.tif 000030
【図２９】
2007150430.tif 000031
【図３０】
2007150430.tif 000032
【図３１】
2007150430.tif 000033
【図３２】
2007150430.tif 000034
【図３３】
2007150430.tif 000035
【図３４】
2007150430.tif 000036
【図３５】
2007150430.tif 000037
【図３６】
2007150430.tif 000038
【図３７】
2007150430.tif 000039